(57)【特許請求の範囲】
【請求項１】
複数のプラグ接続部、
前記複数のプラグ接続部のそれぞれに供給される電流または電力を検出する複数のセンサ、および、
前記複数のセンサが検出した検出値を前記複数のプラグ接続部に対応付けて出力するデータ出力部を有する電源接続機器と、
前記電源接続機器の複数のプラグ接続部のそれぞれに対応付けた検出値を取得する通信部、
複数の前記電源接続機器のそれぞれの利用者を識別する利用者識別情報と前記複数の電源接続機器のそれぞれとを対応付けて記憶する利用者記憶部、
前記検出値に基づく電力値の度数分布における、電力０に最も近い度数のピークを含む第１分布集合を基に、前記プラグ接続部に接続された機器が電源オフ状態にあるときに供給される第１待機電力を算出する第１算出部、および
前記第１待機電力を超える電力値の有無を判定する評価部を有する情報処理装置と、を備え、
前記評価部は、前記第１待機電力を超える電力値が所定の日時条件において確認された場合に、前記利用者識別情報を基に、前記第１待機電力を超える電力値が確認されたプラグ接続部を含む電源接続機器の利用者宛に使用電力の改善を促すメッセージを設定する、使用電力管理システム。
【請求項２】
前記評価部は、前記メッセージの設定後に、前記第１待機電力を超える電力値が確認されたプラグ接続部から新たに取得した電力値が前記日時条件において前記第１待機電力内に低減した場合に、前記電力値が低減したプラグ接続部を含む電源接続機器の利用者宛に使用電力の改善が達成された旨のメッセージを設定する請求項１に記載の使用電力管理システム。
【請求項３】
前記情報処理装置は、前記電力値の度数分布における、前記第１分布集合の次に電力値
が大きい第２分布集合を基に、前記プラグ接続部に接続された機器が省電力モードにあるときに供給される第２待機電力を算出する第２算出部をさらに有する請求項１または２に記載の使用電力管理システム。
【請求項４】
前記情報処理装置は、前記プラグ接続部に接続された機器の省電力モードにおける電力の基準値を基に、前記算出した第２待機電力の適正を判定する第２待機電力判定部をさらに有する請求項３に記載の使用電力管理システム。
【請求項５】
電源接続機器の複数のプラグ接続部のそれぞれに対応付けた検出値を取得する通信部と、
複数の前記電源接続機器のそれぞれの利用者を識別する利用者識別情報と前記複数の電源接続機器のそれぞれとを対応付けて記憶する利用者記憶部と、
前記検出値に基づく電力値の度数分布における、電力０に最も近い度数のピークを含む第１分布集合を基に、前記プラグ接続部に接続された機器が電源オフ状態にあるときに供給される第１待機電力を算出する第１算出部と、
前記第１待機電力を超える電力値の有無を判定する評価部とを有し、
前記評価部は、前記第１待機電力を超える電力値が所定の日時条件において確認された場合に、前記利用者識別情報を基に、前記第１待機電力を超える電力値が確認されたプラグ接続部を含む電源接続機器の利用者宛に使用電力の改善を促すメッセージを設定する、情報処理装置。
【請求項６】
コンピュータが、電源接続機器の複数のプラグ接続部のそれぞれに対応付けた検出値を取得するステップと、
複数の前記電源接続機器のそれぞれの利用者を識別する利用者識別情報と前記複数の電源接続機器のそれぞれとを対応付けた情報を利用者記憶部から取得するステップと、
前記検出値に基づく電力値の度数分布における、電力０に最も近い度数のピークを含む第１分布集合を基に、前記プラグ接続部に接続された機器が電源オフ状態にあるときに供給される第１待機電力を算出するステップと、
前記第１待機電力を超える電力値の有無を判定するステップと、
前記第１待機電力を超える電力値が所定の日時条件において確認された場合に、前記第１待機電力を超える電力値が確認されたプラグ接続部を含む電源接続機器の利用者宛に使用電力の改善を促すメッセージを設定する評価ステップと、を実行する情報処理方法。
【請求項７】
コンピュータに、電源接続機器の複数のプラグ接続部のそれぞれに対応付けた検出値を取得するステップと、
複数の前記電源接続機器のそれぞれの利用者を識別する利用者識別情報と前記複数の電源接続機器のそれぞれとを対応付けた情報を利用者記憶部から取得するステップと、
前記検出値に基づく電力値の度数分布における、電力０に最も近い度数のピークを含む第１分布集合を基に、前記それぞれのプラグ接続部に接続された機器が電源オフ状態にあるときに供給される第１待機電力を算出するステップと、
前記第１待機電力を超える電力値の有無を判定するステップと、
前記第１待機電力を超える電力値が所定の日時条件において確認された場合に、前記第１待機電力を超える電力値が確認されたプラグ接続部を含む電源接続機器の利用者宛に使用電力の改善を促すメッセージを設定する評価ステップと、を実行させるためのプログラム。
【発明の詳細な説明】
【技術分野】
【０００１】
本発明は、使用電力の管理技術に関する。
【背景技術】
【０００２】
オフィス内のオフィスオートメーション（以下、ＯＡ）機器が普及したことによりオフィスでの使用電力量が増加している。そこで、例えば、コンセント単位の電力を計測し、オフィスにおける個人レベルで消費電力を管理し、削減するような取り組みもなされている。そのような消費電力管理を支援する技術の一例として、スマート電源タップを例示できる。スマート電源タップは、株式会社富士通研究所が２０１０年３月３１日にプレスリリースを発表した（下記非特許文献１参照）。
【先行技術文献】
【特許文献】
【０００３】
【特許文献１】特開２００９−１３０９８７号公報
【特許文献２】特許３７８４９５５号公報
【特許文献３】特開２００８−１３６３３４号公報
【特許文献４】特開２００６−２０１０２９号公報
【特許文献５】特開２００９−１１２０７５号公報
【非特許文献】
【０００４】
【非特許文献１】"業界最小の電力センサ内蔵のスマート電源タップを開発"、［online］、２０１０年３月３１日、株式会社富士通研究所、［平成２３年１月１５日検索］、インターネット＜http://pr.fujitsu.com/jp/news/2010/03/31-3.html＞
【発明の概要】
【発明が解決しようとする課題】
【０００５】
スマート電源タップには、コンセントで例示されるプラグ接続部に流れる電流あるいは供給される電力を検出するセンサが内蔵されている。したがって、例えば、プラグ接続部ごとの使用電力を計測することが可能となった。
【０００６】
しかしながら、プラグ接続部ごとの使用電力を検出し、例えば、利用者単位での使用電力を把握できたとしても、省エネルギーの観点からの機能としては十分ではない。例えば、利用者が計測された使用電力を認識できるようになっても、どのようにすれば使用電力を削減できるかという知識が十分でない場合もあるからである。
【０００７】
開示の技術の課題は、計測された利用者の使用電力を基に、省エネルギーの観点から利用者に有効な情報を提供し、使用電力を削減できるように支援する技術を提供することにある。
【課題を解決するための手段】
【０００８】
開示の技術の一側面は、次の情報処理装置の構成によって例示される。すなわち、本情報処理装置は、複数の電源接続機器のそれぞれのプラグ接続部に対応付けた検出値を取得する通信部と、複数の電源接続機器のそれぞれの利用者を識別する利用者識別情報と複数の電源接続機器のそれぞれとを対応付けて記憶する利用者記憶部と、検出値に基づく電力値が所定の許容範囲を超過したことが確認された場合に、利用者識別情報を基に、所定の許容範囲を超過したことが確認された電力値に対応する検出値が検出されたプラグ接続部を含む電源接続機器の利用者宛に使用電力の改善を促すメッセージを設定する評価部と、
を有する。
【発明の効果】
【０００９】
本情報処理装置によれば、計測された利用者の使用電力を基に、省エネルギーの観点から利用者に有効な情報を提供し、使用電力削減を支援できる。
【図面の簡単な説明】
【００１０】
【図１】ＯＡ機器のレイアウトの一例を示す図である。
【図２】電源接続機器の外観図の例である。
【図３】電源接続機器内の接続図の例である。
【図４】電源接続機器、中継装置、およびエネルギー管理サーバの信号処理に関連するハードウェアの構成を例示する図である。
【図５】ルータ、スイッチを含むオフィス内のネットワークの構成図を例示する図である。
【図６】エネルギー管理サーバの機能ブロック図を例示する図である。
【図７】電源接続機器データベースが有するセンサＩＤテーブルの構成例である。
【図８】電源接続機器データベースが有する設置エリアＩＤテーブルの構成例である。
【図９】電力値データベースの構成を例示する図である。
【図１０】接続機器データベースの構成を例示する図である。
【図１１】利用者データベースの構成を例示する図である。
【図１２】スケジュールデータベースの構成を例示する図である。
【図１３】メッセージマスタデータベースの構成を例示する図である。
【図１４】浪費改善情報データベースの構成を例示する図である。
【図１５】使用電力管理システムによる計測例を例示する図である。
【図１６】浪費メッセージ登録タイミングとメッセージタイプとの関係を例示する図である。
【図１７】電力管理処理のフローチャートを例示する図である。
【図１８】センサごとの待機電力設定処理のフローチャートを例示する図である。
【図１９】第１待機電力と第２待機電力を求める処理のフローチャートを例示する図である。
【図２０】待機電力を算出するためのヒストグラムの一例である。
【図２１】浪費判定処理と改善判定処理を例示するフローチャートである。
【図２２】浪費判定処理を例示するフローチャートである。
【図２３】浪費判定部のスケジュールチェックフローの詳細を例示するフローチャートである。
【図２４】浪費判定部の省エネ未活動チェックフローの詳細を例示するフローチャートである。
【図２５】浪費判定部の休日出勤チェックフローの詳細を例示するフローチャートである。
【図２６】浪費判定部の定時退社日チェックフローの詳細を例示するフローチャートである。
【図２７】浪費判定部のコンセント接続チェックフローを例示するフローチャートである。
【図２８】浪費判定部の深夜残業チェックフローを例示するフローチャートである。
【図２９】浪費判定部の昼休みチェックフローの詳細を例示するフローチャートである。
【図３０】改善判定処理の詳細を例示するフローチャートである。
【図３１】改善判定部のスケジュールチェックフローの詳細を例示するフローチャートである。
【図３２】改善判定部の省エネ未活動チェックフローの詳細を例示するフローチャートである。
【図３３】改善判定部の休日出勤チェックフローの詳細を例示するフローチャートである。
【図３４】改善判定部の定時退社日チェックフローの詳細を例示するフローチャートである。
【図３５】改善判定部のコンセント接続チェックフローを例示するフローチャートである。
【図３６】改善判定部の深夜残業チェックフローを例示するフローチャートである。
【図３７】改善判定部の昼休みチェックフローの詳細を例示するフローチャートである。
【図３８】画面表示処理の詳細を例示するフローチャートである。
【図３９】使用電力管理システムの構成図である。
【発明を実施するための形態】
【００１１】
以下、図面を参照して、一実施形態に係る使用電力管理システムについて説明する。以下の実施形態の構成は例示であり、本使用電力管理システムは実施形態の構成には限定されない。
【実施例１】
【００１２】
以下、図１から図３８の図面に基づいて、実施例１に係る使用電力管理システムを説明する。
【００１３】
＜システム構成＞
図１に、ＯＡ機器のレイアウトの一例を示す。図１は、例えば、オフィスの１フロアのレイアウトが例示されている。ここで、オフィスには、例えば、企業、役所、学校、商店、飲食店、各種サービス提供施設等で種々の情報を取り扱う部署の他、工場内、あるいは作業現場等で種々の事務処理等を行う部署を含む。図１のオフィスは、複数の電源接続機器１−１、１−２、１−３、１−４等と、それぞれの電源接続機器１−１等に接続されるＯＡ機器と、電源接続機器１−１等で検出された電力値を収集し、中継先へ中継する中継器２を含む。ここで、電源接続機器１−１等は、ＯＡ機器に電力を供給するコンセントを配置した機器である。以下、電源接続機器１−１等を総称する場合には、電源接続機器１という。コンセントがプラグ接続部の一例である。
【００１４】
なお、中継器２が電流値を収集するようにしてもよい。電源接続機器１を通じて、機器に供給される電力の電圧が特定できる場合には、電流値を電力値に換算できるからである。後述するように、以下の実施例のオフィスでは、電源接続機器１には、電流センサが内蔵され、個々のコンセントから供給される電流値を検出する。電流センサがセンサの一例である。この電流値は、エネルギー管理サーバ３で電力値に変換され、データベースに格納される。ただし、電源接続機器１において、電力値を検出するようにしてもよい。例えば、電源接続機器１が電流センサとともに、電圧センサを内蔵するようにすればよい。また、電源接続機器１に電圧パラメータを設定できる機能を設け、設定された電圧パラメータにしたがって電流値を電力値に換算する処理部を設けてもよい。また、電源接続機器１において、電流値を検出し、中継器２が電流値を電力値に換算した後、エネルギー管理サーバ３に電力値を中継するようにしてもよい。この場合、中継器２には、電圧パラメータを設定できる機能を設けておけばよい。このように、機器に供給される電圧が特定できる場合には、電流値は、電力値と同様に見なすことができるため、以下の実施例では、電流と電力を同様に取り扱う。
【００１５】
さらに、図１のオフィスでは、中継器２を経由して各電源接続機器１で検出された電力
の検出値を受信し、処理するエネルギー管理サーバ３と、エネルギー管理サーバ３での処理結果を基に、オフィスの使用電力を監視するための監視端末５と、オフィスで職務を遂行する利用者のスケジュールを管理するスケジュール管理サーバ６が含まれている。エネルギー管理サーバ３が情報処理装置の一例である。
【００１６】
図１では、１フロア分のレイアウトが例示されているが、１台のエネルギー管理サーバ３、１台の監視端末５が、複数のフロアを管理するようにしてもよい。また、図１では、オフィスの１フロアは、３つのエリアＡ１、Ａ２、Ａ３を含む。１つのエリアには、中継器２が１台配置される。実施例１では、エリアは、中継器２が１台でカバーできる範囲とする。ただし、１フロアが３つのエリアに限定される訳ではなく、オフィスの状況、ニーズに応じて、適正なエリアを設定すればよい。
【００１７】
さらに、図１では、１台の中継器が４個の電源接続機器１に接続されているが、１台の中継器に接続される電源接続機器１の数が４個に限定される訳ではない。なお、電源接続機器１には、パーソナルコンピュータ等の情報処理装置、電気スタンド等のＯＡ機器の他、例えば、扇風機、暖房機器等も接続される場合がある。
【００１８】
なお、図１では、エネルギー管理サーバ３が、オフィス内のネットワークに接続されているが、エネルギー管理サーバ３は、例えば、インターネット上のコンピュータ群である、クラウドの一部であってもよい。また、エネルギー管理サーバ３は、データセンタにて、オフィス、工場等のエネルギー情報を収集し、管理機能を提供する情報処理装置であってもよい。
【００１９】
＜ハードウェアの構成＞
図２は、電源接続機器１の外観図の例である。電源接続機器１として、例えば、スマート電源タップを例示できる。ただし、本使用電力管理システムにおいて、電源接続機器１がスマート電源タップに限定される訳ではなく、コンセントごとに供給される電流、あるいは、電力が検出可能なものであれば、どのようなものでもよい。
【００２０】
図２のように、電源接続機器１は、外観上、筐体と、筐体の一方の面に配列された複数のコンセントと、筐体外部の商用電源を筐体内の各コンセントに接続する電源ケーブルＡＣ１と、筐体内で検出された電流値を筐体外の信号ケーブルＵＢ１に接続するアダプタＵＡ１とを有している。
【００２１】
コンセントは、例えば、ＯＡ機器に接続されている電源ケーブルのプラグを装着する１対のプラグ挿入口と、プラグのアース端子を受け入れるアース端子口とを有する。筐体内には、電力ケーブルＡＣ１から分岐し、各コンセントに供給する導電路と、分岐したそれぞれの導電路に接続される電極を有する。電極は、それぞれのプラグ挿入口内に埋め込まれており、電源ケーブルのプラグがコンセントに差し込まれたときにプラグのコンタクトに接触し、通電可能となる。
【００２２】
信号ケーブルＵＢ１は、例えば、ＵＳＢ（Universal Serial Bus）ケーブルであり、アダプタＵＡ１は、ＵＳＢコネクタを装着するアダプタである。ただし、信号ケーブルＵＢ１およびアダプタＵＡ１の種類に特に限定がある訳ではない。
【００２３】
図３に、電源接続機器１内の接続図を例示する。図３のように、電源接続機器１は、筐体内に、図２の電源ケーブルＡＣ１に接続される導電路ＡＣ２と、導電路Ａ２から分岐した分岐路ＡＣ３と、分岐路ＡＣ３の先端部に接続される複数のコンタクトＣＴ１とを有する。
【００２４】
コンタクトＣＴ１は、図２に示したコンセントに装着されるプラグのコンタクトと接触し、通電可能となる。さらに、電源接続機器１は、それぞれの分岐路ＡＣ３を流れる電流を検出する複数の電流センサＣＳ１を有する。図３では、分岐路ＡＣ３、コンタクトＣＴ１、電流センサＣＳ１は、４組み示されている。
【００２５】
電流センサは、例えば、分岐路ＡＣ３の周囲に発生する磁界を検出する磁気センサ、例えば、ホール素子を含む。例えば、分岐路ＡＣ３の周囲に、磁性体で閉磁路を形成し、磁路の一部にホール素子をはめ込むようにすればよい。
【００２６】
さらに、電源接続機器１は、電流センサＣＳ１の検出信号を読み取り、処理する信号制御部１０を有する。４つの電流センサＣＳ１の検出信号は、それぞれ信号制御部１０に入力される。信号制御部１０は、電流センサＣＳ１のそれぞれの検出値に、電流センサＣＳ１が検出する電流の供給先となるコンセントの識別情報を対応付けて、アダプタＵＡ１に出力する。したがって、アダプタＵＡ１に接続される装置は、コンセントの識別情報に対応付けて、そのコンセントで使用されている電力値を取得可能となる。
【００２７】
図４は、電源接続機器１、中継装置２、およびエネルギー管理サーバ３の信号処理に関連するハードウェアの構成を例示する図である。すなわち、図４では、ＯＡ機器に電力を供給する導電路は除外し、電源接続機器１の電流センサＣＳ１で検出される検出値を処理するシステムのハードウェア構成が例示されている。
【００２８】
電源接続機器１内の信号制御部１０は、ＣＰＵ１１、メモリ１２、通信制御部１３、電力測定プログラム１９、およびＡＤ（Analog/Digital）変換部１４を有する。このうち、ＡＤ変換部１４は、電流センサＣＳ１の検出値をアナログ信号からデジタル信号に変換し、ＣＰＵ１１に引き渡す。
【００２９】
ＣＰＵ１１は、電力測定プログラム１９を実行し、信号制御部１０の機能を提供する。すなわち、ＣＰＵ１１は、それぞれの電流センサＣＳ１での検出値を読み取る。そして、ＣＰＵ１１は、通信制御部１３を介して、検出値をアダプタＵＡ１に出力する。なお、ＣＰＵ１１が出力する検出値は、例えば、所定の順序で４つの検出値を配列したベクトルデータとすればよい。あるいは、ＣＰＵ１１は、４つの検出値に、それぞれコンセントを識別する識別情報を付与して出力してもよい。したがって、電流センサＣＳ１のそれぞれの検出値は、並び順または付与された識別情報によって、どのコンセントの検出値であるかが特定されることになる。ただし、ＣＰＵ１１は、電流センサＣＳ１での検出値を電力値に換算し、アダプタＵＡ１に出力してもよい。
【００３０】
メモリ１２は、主記憶装置とも呼ばれ、ＣＰＵ１１が処理するデータを保持する。通信制御部１３は、例えば、ＵＳＢのドライバ回路である。通信制御部１３は、ＣＰＵ１１から引き渡された信号を、例えば、アダプタＵＡ１を介して中継器２に引き渡す。なお、通信制御部１３は、ＵＳＢのドライバ回路に限定される訳ではなく、他の通信インターフェースであってもよい。電力測定プログラム１９は、例えば、ＣＰＵ１１で実行可能なバイナリプログラムであり、ＲＯＭ（Read Only Memory）に保持される。
【００３１】
中継器２は、ＣＰＵ２１と、メモリ２２と、通信制御部２３Ａ、２３Ｂと、ドライブ装置２４等を有する。ＣＰＵ２１は、ドライブ装置２４に格納され、メモリ２２に実行可能に展開された中継プログラムを実行し、中継器２の機能を提供する。すなわち、ＣＰＵ２１は、複数の電源接続装置１の信号制御部１０から、通信制御部２３Ｂを介して検出値を取得する。そして、ＣＰＵ２１は、複数の電源接続機器１から取得した検出値を配列して、所定順のベクトルとして通信制御部２３Ａからエネルギー管理サーバ３に引き渡す。ただし、中継器２は、複数の電源接続機器１から取得した検出値にそれぞれの電源接続機器
１の識別情報を付与して、エネルギー管理サーバ３に引き渡すようにしてもよい。いずれにしても、エネルギー管理サーバ３は、検出値の並び順、または、検出値に付与された識別情報により、電源接続機器１、および電源接続機器１内のコンセントを区別して検出値を取得できる。
【００３２】
メモリ２２は、主記憶装置ということもできる。メモリ２２は、例えば、ＣＰＵ２１が実行する中継プログラム、あるいは、電源接続機器１の信号制御部１０から取得した検出値等を記憶する。通信制御部２３Ａは、エネルギー管理サーバ３と通信するインターフェースである。通信制御部２３Ａは、例えば、ＬＡＮ（Local Area Network）基板、あるいは、ＮＩＣ（Network Interface Card）と呼ばれる。ただし、通信制御部２３Ａは、無線ＬＡＮのインターフェース、Bluetoothのインターフェース等であってもよい。
【００３３】
通信制御部２３Ｂは、電源接続機器１の通信制御部１３と接続するためのインターフェースであり、例えば、ＵＳＢのドライバ回路である。ドライブ装置２４は、着脱可能な記憶媒体の入出力装置であり、例えば、フラッシュメモリカードの入出力装置、ＵＳＢメモリを接続するＵＳＢのアダプタ等である。ドライブ装置２４は、着脱可能な記憶媒体から中継プログラムを読み出し、メモリ２２に格納する。
【００３４】
エネルギー管理サーバ３は、ＣＰＵ３１、メモリ３２、通信制御部３３，ドライブ装置３４、ＨＤＤ（ハードディスク駆動装置）３５、表示制御部３６を有する。さらに、エネルギー管理サーバ３には、表示装置３７、入力装置３８等を接続可能である。
【００３５】
ＣＰＵ３１は、メモリ３２に実行可能に展開された管理プログラムを実行し、エネルギー管理サーバ３の機能を提供する。メモリ３２は、主記憶装置ということもできる。メモリ３２は、例えば、ＣＰＵ３１が実行する管理プログラム、あるいは、中継器２を介して取得した、各電源接続機器１の各電流センサＣＳ１の検出値等、各検出値から算出した電力値、その他の管理データ等を記憶する。
【００３６】
通信制御部３３は、中継器２の通信制御部２３Ａと通信可能なインターフェースである。通信制御部３３は、通信部の一例である。ドライブ装置３４は、着脱可能な記憶媒体の入出力装置であり、例えば、フラッシュメモリカードの入出力装置、ＵＳＢメモリを接続するＵＳＢのアダプタ等である。ただし、ドライブ装置３４は、例えば、ＣＤ（Compact Disc）、ＤＶＤ（Digital Versatile Disk）、ブルーレイディスク（Blu-ray Disc）等のディスク媒体であってもよい。ドライブ装置３４は、着脱可能な記憶媒体から管理プログラムを読み出し、ＨＤＤ３５に格納する。
【００３７】
ＨＤＤ３５は、外部記憶装置ということもできる。外部記憶装置としては、ＳＳＤ（Solid State Drive）等であってもよい。ＨＤＤ３５は、ドライブ装置３４との間で、デー
タを授受する。例えば、ＨＤＤ３５は、ドライブ装置３４からインストールされる管理プログラム等を記憶する。また、ＨＤＤ３５は、管理プログラムを読み出し、メモリ３２に引き渡す。また、ＨＤＤ３５は、通信制御部３３および中継器２を介して取得された各電源接続機器１で検出された検出値、その他の管理データをメモリ３２から受け取り、不揮発性データとして保持する。表示制御部３６は、表示装置３７の制御回路を有し、ＣＰＵ３１が処理した結果のデータ等を表示装置３７に表示する。
【００３８】
表示装置３７は、例えば、液晶ディスプレイ、エレクトロルミネッセンスパネル等である。入力装置は、例えば、キーボード、ポインティングデバイス等を含む。ポインティングデバイスとしては、マウス、タッチパネル等を例示できる。なお、表示装置３７、入力装置３８をエネルギー管理サーバ３に接続する代わりに、図１に示した監視端末５の表示装置、および入力装置を用いて、エネルギー管理サーバ３によって、エネルギー管理サー
バ３の表示機能、入力機能を提供してもよい。
【００３９】
なお、監視端末５は、例えば、ＣＰＵ、主記憶装置、外部記憶装置、通信装置、着脱可能な記憶媒体の駆動装置等を含むコンピュータである。さらに、監視端末５は、キーボード、ポインティングデバイス等の入力装置、表示装置等を有する。監視端末５は、例えば、パーソナルコンピュータ等である。ただし、監視端末５は、携帯情報端末、携帯電話、スマートフォン、電子ブック等であってもよい。
【００４０】
また、図１に示したスケジュール管理サーバ６の詳細構成は、図示しないが、エネルギー管理サーバ３の構成とほぼ同様である。スケジュール管理サーバ６は、ネットワーク上のＰＣ等に対して、スケジュール管理機能を提供する。スケジュール管理機能は、ＰＣ等の利用者のスケジュール情報を登録し、複数ＰＣ間で共有させる機能を提供する。
【００４１】
図５に、ルータ、スイッチを含むオフィス内のネットワークの構成図を例示する。すなわち、図５は、図１で例示されるオフィスでの通信機器の接続例である。
図５では、ルータＲ０の管理下でネットワークＮ１が形成されている。ルータＲ０は、例えば、外部のインターネットと接続する代理サーバの機能を有してもよい。すなわち、ルータＲ０は、図示しない外部のネットワークとオフィス内のネットワークＮ１とを接続するものであってもよい。
【００４２】
ネットワークＮ１には、ルータＲ１、Ｒ４、Ｒ５等が含まれる。ルータＲ１、Ｒ４、Ｒ５等は、ネットワークＮ１を複数の下位のネットワークに分割する。下位のネットワークは、サブネットと呼ぶこともできる。さらに、図５では、ルータＲ１の下位のネットワークが、ルータＲ２、Ｒ３等によって、下位のネットワークに接続されている。そして、ルータＲ２の下位のネットワークには、レイヤ２スイッチ（Ｌ２ＳＷ）ＬＳ１、ＬＳ２等が含まれている。そして、例えば、レイヤ２スイッチＬ１の下位のＬＡＮセグメントには、中継器２−１、２−２等、あるいは、情報処理装置等が接続されている。
【００４３】
なお、中継器２−１、２−２等を総称する場合には、中継器２という。また、ルータＲ１配下のルータＲ２、Ｒ３等の数、ルータＲ２配下のレイヤ２スイッチＬＳ１、ＬＳ２等の数、レイヤスイッチＬＳ１配下の中継器２−１、２−２等の数、情報処理装置の数が図５の例に限定される訳ではない。
【００４４】
レイヤ２スイッチＬＳ２の下位のＬＡＮセグメントの構成も、レイヤ２スイッチＬＳ１と同様である。ルータＲ３の下位のネットワークもルータＲ２の下位のネットワークと同様である。また、ルータＲ２等の下位にさらに、他のルータを接続してもよい。また、逆に、ルータＲ２、Ｒ３等をなくし、ルータＲ１の下位にレイヤ２スイッチＬＳ１、ＬＳ２等を接続してもよい。ルータＲ４の下位のネットワークもルータＲ１の下位のネットワークと同様である。
【００４５】
さらに、ルータＲ５の下位のネットワークには、レイヤ２スイッチＬＳ３が含まれている。そして、レイヤ２スイッチＬＳ３の下位のＬＡＮセグメントには、エネルギー管理サーバ３、および監視端末５が接続されている。
【００４６】
ところで、図５のネットワークＮ１は、オフィスの家屋、ビル、建屋内で様々なレイアウトを採ることができる。例えば、ルータＲ１、ルータＲ４、ルータＲ５等を異なる階に設置し、階ごとに異なる下位ネットワークを構成してもよい。また、同一階にあるオフィスをさらに分割し、分割されたオフィスにルータＲ２、Ｒ３等を設置してもよい。
【００４７】
なお、上記図４、図５の構成では、電源接続機器１が中継器２を介してエネルギー管理
サーバ３に接続されるシステムを例示した。しかし、本使用電力管理システムは、上記構成に限定される訳ではない。例えば、中継器２が、いずれかの電源接続機器１に内蔵されるようにしてもよい。中継器２を内蔵する電源接続機器（例えば、電源接続機器１Ａ）が、中継器２を内蔵しない電源接続機器１から、検出値を取得し、エネルギー管理サーバ３に中継するようにしてもよい。また、中継器２を省略して、電源接続機器１と、エネルギー管理サーバ３とをネットワークで接続するようにしてもよい。中継器２を省略する場合には、電源接続機器１の通信制御部１３は、図４と同様、例えば、ＵＳＢのドライバ回路であってもよいし、ＬＡＮ基板、ＮＩＣ、無線ＬＡＮのインターフェース、Bluetoothの
インターフェース等であってもよい。
【００４８】
図６に、エネルギー管理サーバ３の機能ブロック図を例示する。エネルギー管理サーバ３は、電源接続機器設定部３０１、電力計測部３０２、接続機器判定部３０３、浪費判定部３０６、改善判定部３０７、画面表示部３０８の各機能部を有し、本使用電力管理システムの管理機能を提供する。以上の各機能部は、エネルギー管理サーバ３が主記憶上に実行可能に展開されたコンピュータプログラムを実行することで提供される。
【００４９】
また、エネルギー管理サーバ３は、以上の機能部が参照し、あるいは、管理するデータの格納先として、電源接続機器データベース３１１、電力値データベース３１２、接続機器データベース３１３、浪費改善情報データベース３１６、スケジュールデータベース３１８、休日カレンダーマスタデータベース３１９、メッセージマスタデータベース３１Ａを有する。以上の各データベースは、例えば、エネルギー管理サーバ３の外部記憶装置、あるいは、ネットワークＮ１上のデータベース機能を提供する他のサーバの外部記憶装置等に構築される。
【００５０】
以下、図６に示した各機能部の機能を説明する。電源接続機器設定部３０１は、本使用電力管理システム内に含まれるエリア、エリア内の電源接続機器１、電源接続機器１内の電流センサ等のＩＤ割付を実行し、割付済みのＩＤ、空きＩＤ等を管理する。
【００５１】
図１ですでに説明したように、本使用電力管理システムが管理するオフィスは、複数のエリアに分割され、各エリアには中継器２が設置される。エリアは、中継器２が設置されるという意味で、設置エリアとも呼ばれる。また、エリアのＩＤは、中継器２のＩＤともいうことができる。そこで、エリアのＩＤとして、中継器２のＩＰアドレス、ＭＡＣアドレス等を用いるようにしてもよい。また、エリアのＩＤとして、本使用電力管理システムが独自に管理するＩＤを付与してもよい。本使用電力管理システムが独自に管理するＩＤをエリアのＩＤとする場合には、エリアのＩＤと、中継器２のＩＰアドレス、あるいは、ＭＡＣアドレス等とを関連づけるアドレス関連づけテーブルを設けてもよい。
【００５２】
新規に中継器２が設置された場合には、エネルギー管理サーバ３は、入力装置３８への操作を受け、コンピュータプログラムを起動し、電源接続機器設定部３０１として機能する。ただし、エネルギー管理サーバ３は、例えば、監視端末５からの操作にしたがって、コンピュータプログラムを起動し、電源接続機器設定部３０１として機能してもよい。
【００５３】
電源接続機器設定部３０１は、ユーザの操作により、表示装置３７等の画面上に、電源接続機器設定画面を表示し、設置された中継器２に対応するエリアのＩＤ、中継器２に接続される電源接続機器１のＩＤ、電源接続機器１に含まれる電流センサのＩＤ等の設定を支援する。例えば、電源接続機器設定部３０１は、空きＩＤを検索して、ユーザに表示し、新たに設置されたエリア等のＩＤ、中継器２のＩＤ、電流センサのＩＤとして設定するように促す。電源接続機器設定部３０１は、ユーザが設定したエリア等のＩＤ、中継器２のＩＤ、電流センサのＩＤを電源接続機器データベース３１１に保存する。電源接続機器データベース３１１は、センサＩＤテーブルと設置エリアＩＤテーブルを含む。センサＩ
Ｄテーブルは、電源接続機器１内の個々の電流センサのＩＤを定義する。また、設置エリアＩＤテーブルは、オフィスの各エリアと、エリア内の電源接続機器１との関係を定義する。
【００５４】
また、例えば、電源接続機器設定部３０１は、新たに設置された中継器２のＩＰアドレス、ＭＡＣアドレス等をネットワークＮ１上の通信により、新たに設置された中継器２から取得してもよい。そして、電源接続機器設定部３０１は、取得した中継器２のＩＰアドレス、ＭＡＣアドレス等と、ユーザが設定したエリアのＩＤとの関連づけを図示しないデータベースに保存すればよい。また、例えば、電源接続機器設定部３０１は、新たに設置された中継器２のＩＰアドレス、ＭＡＣアドレス等をエリアのＩＤとして、電源接続機器データベース３１１に設定するようにしてもよい。
【００５５】
電力計測部３０２は、中継器２と通信し、電源接続機器１内の電流センサごとの電流値を取得し、電力値に換算し、電力値データベース３１２に保存する。電流センサごとの電流値は、電源接続機器のコンセントごとの電流値に該当する。
【００５６】
接続機器判定部３０３は、接続機器データベース３１３からそれぞれの電源接続機器１のそれぞれのコンセントに接続されている機器、および機器を割り当てられている正規利用者の関係、および各コンセントに接続されている待機電力値等を読み出す。そして、接続機器判定部３０３は、正規利用者、電源接続機器１、各コンセントの電力値、待機電力値との関係を浪費判定部３０６に引き渡す。
【００５７】
浪費判定部３０６は、スケジュールデータベース３１８のスケジュール情報、あるいは浪費判定対象の指定日の勤務予定等を基に、コンセントの利用者の在席／離席の状況を判定する。そして、浪費判定部３０６は、コンセントの利用者の在席／離席の状況から、ＰＣ（Personal Computer）等、コンセントに接続された機器の使用電力値を検証し、使用
電力に浪費があるか否かを判定する。そして、判定の結果、浪費があると認識した場合に、浪費判定部３０６は、利用者に浪費を指摘し、改善を促す浪費メッセージを浪費改善情報データベース３１６に登録する。より具体的な処理例としては、浪費判定部３０６は、該当する浪費メッセージをメッセージマスタデータベース３１Ａから読み出し、浪費改善情報データベース３１６に登録する。なお、メッセージマスタデータベース３１Ａ内のメッセージには、文字列を値とする変数を含むものがある。すなわち、変数に具体的な文字列を設定することによって、メッセージの変更が可能である。このような変数を含むメッセージは、浪費メッセージのテンプレートと呼ぶこともできる。
【００５８】
浪費判定部３０６は、例えば、以下の機能を提供する。
【００５９】
（１）浪費判定の前に、浪費判定部３０６は、コンセントに接続された機器ごとの第１待機電力、第２待機電力を算出する。第１待機電力は、機器の電源オフの状態で、コンセントを通じて機器に供給される電力である。第１待機電力は、通電電力とも呼ばれる。
【００６０】
また、第２待機電力は、機器の電源がオンであってスタンバイモード、あるいは、省電力モードで動作しているときに、コンセントを通じて機器に供給される電力である。
【００６１】
（２）コンセント利用者について、スケジュールデータベース３１８に離席のスケジュール情報が登録されているにも拘わらず使用電力が低減されていないと判断した場合には、浪費判定部３０６は、電力の浪費が検出されたこと、および、省エネルギーを促すメッセージを浪費改善情報データベース３１６に登録する。使用電力が低減されているか否かは、例えば、機器の使用電力が、第２待機電力以下か否かによって判断すればよい。省エネルギーを促すメッセージは、例えば、離席時に機器をスタンバイモードか休止モードにす
る旨の浪費メッセージ等である。
【００６２】
このように実施例１では、エネルギー管理サーバ３は、利用者のスケジュール情報取得のため、スケジュールデータベース３１８を参照する。スケジュールデータベース３１８は、例えば、グループウェア、ワークフロー等で管理され、オフィスのスタッフ、従業員等、利用者のスケジュール情報が格納されている。スケジュール情報には、利用者の離席に係るスケジュール、例えば、会議への出席、出張、外出等の予定が設定される。
【００６３】
（３）深夜残業、定時退社日の残業、または休日に、コンセントに接続される機器に、所定以上の電力が供給されていることが確認できた場合には、浪費判定部３０６は、浪費メッセージを浪費改善情報データベース３１６に登録する。所定以上とは、例えば、０Ｗを超える有意な電力が供給されているか否か、第１待機電力、第２待機電力等を超える電力が供給されているか否かで判定すればよい。
【００６４】
この場合の浪費メッセージは、例えば、本来、勤務のない時間に、機器に対して所定以上の電力の供給が検出されたこと、勤務のない時間には電源を切断すること、さらには、あるいは、勤務している場合には早めに切り上げることを促す等のメッセージである。なお、休日出勤判定のため、休日カレンダーマスタデータベース３１９が参照される。休日カレンダーマスタデータベース３１９には、休日、定時退社日等が定義されている。
【００６５】
（４）夜間、定時退社日、または休日において、通電状態になっているとの確認ができた場合には、浪費判定部３０６は、コンセントを抜いて、第１待機電力による通電状態の電力量をおさえる旨の浪費メッセージを浪費改善情報データベース３１６に登録してもよい。
【００６６】
（５）昼休みに利用者の使用電力が第２待機電力以下に低下していない場合には、浪費判定部３０６は、昼休みにはスタンバイモードか休止モードにする旨の浪費メッセージを浪費改善情報データベース３１６に登録する。
【００６７】
（６）電力の浪費が確認できない場合には、浪費判定部３０６は、省エネルギーにつながる基本的な情報（以下、豆知識ともいう）を提示するメッセージを浪費改善情報データベース３１６に登録する。
【００６８】
（７）一方、浪費判定部が算出した第２待機電力そのものが、基準値より高い場合に、利用者がスタンバイモード、省電力モードの設定をしていない可能性もある。そこで、浪費判定部が算出した第２待機電力そのものが、基準値より高い場合には、浪費判定部３０６は、第２待機電力そのものが、基準値より高いこと、および機器に対して、スタンバイモード、省電力モードの設定するように促す浪費メッセージを浪費改善情報データベース３１６に登録する。浪費判定部が評価部の一例である。
【００６９】
改善判定部３０７は、浪費改善情報データベース３１６を参照して、浪費判定部３０６によって登録された浪費メッセージの有無を判定する。そして、浪費改善情報データベース３１６を参照して、利用者に伝達された浪費メッセージが存在する場合には、利用者の使用電力値を取得し、電力の浪費が改善されたかどうか判定する。利用者による電力浪費が改善されていると判断できた場合、改善判定部３０７は、改善メッセージを浪費改善情報データベース３１６に設定する。ここで、改善メッセージは、浪費メッセージによる電力浪費の指摘に対して、利用者に有意の改善が認識されたことを連絡するメッセージである。実施例１では、浪費メッセージと改善メッセージとが浪費改善情報データベース３１６に設定されると、改善メッセージが優先的に利用者に表示される。
【００７０】
改善判定部３０７は、浪費判定部３０６と同様に、メッセージマスタデータベース３１Ａを参照し、改善メッセージを読み出し、浪費改善情報データベース３１６に登録する。また、改善判定部３０７は、メッセージマスタデータベース３１Ａのテンプレートを用いて、改善メッセージを作成し、浪費改善情報データベース３１６に登録する。
【００７１】
ただし、利用者による電力浪費が改善されていると判断できない場合、改善情報データベース３１６は、改善メッセージを浪費改善情報データベース３１６に登録しない。また、利用者に伝達された浪費メッセージが浪費改善情報データベース３１６に存在しない場合にも、改善判定部３０７は、改善メッセージを浪費改善情報データベース３１６に登録しない。浪費メッセージによって電力の浪費が改善されたことを確認できないからである。改善判定部が評価部の一例でもある。
【００７２】
画面表示部３０８は、所定のタイミングで、浪費改善情報データベース３１６に登録された浪費メッセージ、あるいは、改善メッセージを利用者に報知する。報知するとは、例えば、利用者の表示装置に改善メッセージを送信して表示させる場合、利用者のメールアドレスにメッセージを送信する場合等を含む。利用者の表示装置に改善メッセージを送信して表示させる手順としては、ＨＴＴＰ（HyperText Transfer Protocol ）等が知られている。また、所定のタイミングとは、例えば、ＰＣ起動時、ＰＣ起動後所定の時間間隔、特定の時刻が設定されている場合の設定された時刻、ＰＣからエネルギー管理サーバ３等の画面表示部３０８が起動されたとき、電力使用量が基準値より高くなった場合等である。例えば、利用者のＰＣが起動し、利用者がＰＣにログインすると、利用者のＰＣはエネルギー管理サーバ３に、起動、あるいは、ログインを通知するようにすればよい。また、利用者のＰＣは起動後、所定のタイミングでエネルギー管理サーバ３に、浪費改善情報データベース３１６に登録された浪費メッセージ、あるいは、改善メッセージの利用者への報知をエネルギー管理サーバ３に要求するようにすればよい。画面表示部３０８（見える化システムともいう）は、利用者のＰＣからの要求に応答して、浪費改善情報データベース３１６に登録された浪費メッセージ、あるいは、改善メッセージを利用者に報知すればよい。
【００７３】
例えば、画面表示部３０８が利用者のＰＣの起動を検知したとき、改善メッセージが改善情報データベース３１６に登録されている場合には、画面表示部３０８は、優先的に改善メッセージを利用者のＰＣ等、情報処理装置の表示装置の画面に表示させ、表示済みの改善メッセージを非表示の状態にする。非表示の状態は、表示フラグと呼ぶフラグ情報で設定可能である。
【００７４】
一方、表示フラグで表示が指定された設定改善メッセージが改善情報データベース３１６に登録されていない場合には、画面表示部３０８は、浪費改善情報データベース３１６を参照し、浪費メッセージを取得する。浪費改善情報データベース３１６に浪費メッセージが複数個登録されている場合には、画面表示部３０８は、登録されている浪費メッセージのうちの一つを、例えば、ランダムに取得して利用者のＰＣに表示させる。
【００７５】
さらに、浪費改善情報データベース３１６に対象データが存在しない場合には、画面表示部３０８は、一般的な省エネルギー行動を支援する情報、すなわち、豆知識メッセージをメッセージマスタデータベース３１Ａからランダムに１つ取得して利用者のＰＣに表示させる。
【００７６】
＜データベースの構成＞
以下、エネルギー管理サーバ３がデータを入出力するデータベースの構成を例示する。図７は、電源接続機器データベース３１１が有するセンサＩＤテーブルの構成例であり、図８は、設置エリアＩＤテーブルの構成例である。図６に示したように、電源接続機器デー
タベース３１１は、センサＩＤテーブルと、設置エリアＩＤテーブルとを含む。
【００７７】
このうち、センサＩＤテーブルは、電源接続機器ＩＤと、センサＩＤとを関連づける。電源接続機器ＩＤは、電源接続機器１をユニークに識別する識別情報である。また、センサＩＤは、電源接続機器１に含まれる電流センサの識別情報である。
【００７８】
設置エリアＩＤテーブルは、エリアＩＤ、エリア名、および電源接続機器ＩＤをそれぞれ関連づける。エリアＩＤは、中継器２が設置されるエリアの識別情報である。すでに述べたように、エリアには、中継器２が１台設置される。したがって、エリアＩＤは、中継器２をユニークに識別する識別情報ということができる。エリアＩＤは、中継器２のＩＰアドレス、あるいはＭＡＣアドレス等でもよい。
【００７９】
エリア名は、エリアの名称である。エリア名は、利用者、あるいは、本使用電力管理システムの管理者等に、エリアＩＤで特定されるエリアが、実際に人が認識するどのエリアであるかということを示す。図８の例では、エリア名として、１Ｆ、２Ｆ等のフロアの名称が例示されている。ただし、エリアは、フロアと対応して定義されるとは限らない。例えば、１つのフロアに複数のエリアが存在してもよい。また、複数のフロアをまとめて、１つのエリアとしてもよい。
【００８０】
電源接続機器ＩＤは、それぞれのエリアに設置されている電源接続機器１の識別情報である。図８の例では、例えば、エリア”１Ｆ”には、電源接続機器ＩＤが、”０１〜０３”で設定されている。ただし、設置エリアＩＤテーブルには、エリアＩＤとして、例えば、個々のエリアＩＤを列記するようにしてもよい。また、個々のエリアＩＤを個別に格納するフィールドを配列の形式で設置エリアＩＤテーブルに設けてもよい。
【００８１】
なお、本実施例では、エリアＩＤの１つとして、監視端末５のＩＤ（例えば、”Ｚ”）と、監視端末５の設置エリア（例えば、”Ｂ１Ｆ”）と、監視端末５のＩＤ（例えば、００）とが定義される。監視端末５のエリアを定義しておくのは、本使用電力管理システムの管理者、あるいは、本使用電力管理システムを利用するオフィスの管理者等に、監視端末５の位置を認識できるようにするためである。監視端末５の位置を認識できると、中継器２、電源接続機器１、電源接続機器１から電力を供給される機器等の管理上都合がいいからである。
【００８２】
図９に、電力値データベース３１２の構成を例示する。電力値データベース３１２は、電源接続機器ＩＤと、センサＩＤと、各センサの時間帯ごとの電力値のフィールドを有する。電源接続機器ＩＤとセンサＩＤについては、すでに、電源接続機器データベース３１１において説明した。図９で電力値は、時間帯、例えば、１０分間隔の時間で格納されている。１０分間隔の場合、１０分間の平均電力値を格納すればよい。ただし、平均値の他に、最大値、最小値等を保存するようにしてもよい。また、例えば、時間帯の各始点での電力値、時間帯の中央の時刻での電力値、時間帯の終点での電力値等を保存するようにしてもよい。例えば、電流センサによる検出は、１秒間隔で実行し、平均値、最大値、最小値、時間帯始点の検出値、中央の時刻での検出値、時間帯終点での検出値等のいずれか１以上を保存するようにしてもよい。
【００８３】
ただし、電力値を格納する時間間隔は、使用電力管理システムが要求される管理精度、システムの規模、データベースが構築される外部記憶装置の容量等によって適正なものを選択すればよい。例えば、５分間隔で、電力値を保存してもよい。また、例えば、１秒間隔で、電力値を保存してもよい。
【００８４】
電力値の保存の仕方として、図９では、表のカラムに時間帯が特定されている。したが
って、管理情報として電力値検出開始時刻、検出終了時刻、時間帯の時間幅（保存する時間間隔）を保存した上で、電力値の列をデータベースに保存すればよい。あるいは、例えば、（電力値の検出の時刻、電力値）を組みした列を保存してもよい。
【００８５】
図１０に、接続機器データベース３１３の構成を例示する。接続機器データベース３１３は、電源接続機器ＩＤ、センサＩＤ、接続機器、第１待機電力値、第２待機電力値、利用者ＩＤを対応付ける。図１０で、接続機器が”ＰＣ”となっているのは、その行で定義されている電源接続機器ＩＤとセンサＩＤとで特定されるコンセントには、ＰＣが接続されることを示す。一方、接続機器が”任意”となっているのは、その行で定義されている接続機器ＩＤとセンサＩＤとで特定されるコンセントに接続される機器には制約がないことを示す。
【００８６】
第１待機電力値のフィールドには、電源接続機器データベース３１３で定義される、電源接続機器１の該当するコンセントに接続される機器の第１待機電力値が定義される。第１待機電力値は、通電電力とも呼ばれる。第１待機電力値は、コンセントに接続された機器の電源がオフの状態でコンセントから機器に供給される電力値ある。例えば、機器がＰＣの中には、電源オフであっても、電源オンに備えて、所定の電力を消費するものがある。例えば、ＬＡＮ経由でパケットを受信したときに起動するＰＣが知られている。このようなＰＣの機能は、ウェイクオンＬＡＮと呼ばれる。
【００８７】
第２待機電力値のフィールドには、電源接続機器データベース３１３で定義される、電源接続機器１の該当するコンセントに接続される機器の第２待機電力値が定義される。第２待機電力値は、例えば、ＰＣがスタンバイ状態で、コンセントからＰＣに供給される電力である。
【００８８】
利用者ＩＤは、電源接続機器データベース３１１で定義される電源接続機器１の正規利用者を識別する情報である。ここで、正規利用者とは、電源接続機器１を正規に割り当てられている利用者である。また、利用者ＩＤは利用者をユニークに識別する情報であり、例えば、従業員番号、あるいは、エネルギー管理サーバ３に登録されたユーザ識別情報、ＰＣのログイン名、グループウェア上での利用者識別情報、電子メールアドレス等である。ただし、コンセントごとに利用者ＩＤを設定してもよい。接続機器データベース３１３が利用者記憶部の一例である。
【００８９】
図６に示した接続機器判定部３１３は、コンセントに接続された機器に供給される電力と、その機器の第１待機電力値、第２待機電力値との関係、電源接続機器１に対応する利用者ＩＤを浪費判定部３０６に通知する。浪費判定部３０６は、コンセントから機器に供給される電力、第１待機電力値、第２待機電力値、およびスケジュールデータベース３１８に設定された機器の利用者のスケジュールとの関係から、電力の浪費の有無を判定する。そして、電力の浪費が確認された場合には、浪費判定部３０６は、利用者ＩＤで特定される利用者に浪費メッセージを表示するように、浪費メッセージを浪費改善情報データベース３１６に登録する。
【００９０】
図１１に、利用者データベースの構成を例示する。利用者データベースは、利用者ＩＤと、グループＩＤとの関係を対応付ける。利用者ＩＤについては、接続機器データベース３１３で説明した。グループＩＤは、グループを識別する情報である。グループは、例えば、職場の部署、部門、部課等である。利用者データベースによって、利用者ＩＤで特定される利用者と、グループとの関係が定義される。利用者データベースを参照することで、グループごとの浪費管理が実現される。例えば、浪費と改善とに関して、グループ対グループの比較、社内でのグループ間ランキング等の作成処理が可能となる。
【００９１】
さらに、図１１の例では、利用者データベースは、利用者ＩＤおよびグループＩＤに加えて、さらに、ノード名、ＩＰアドレス、ＭＡＣアドレス、およびメールアドレスを対応付けて保持している。ここで、ノード名は、利用者ＩＤの利用者が使用するＰＣのネットワーク上の識別情報である。ノード名は、例えば、ＰＣのＯＳ（Operating System）のベンダが提供するＬＡＮ上の識別情報であってもよい。ＩＰアドレスは、オフィス内のＬＡＮ上のローカルなＩＰアドレスでもよいし、インターネット上のグローバルなＩＰアドレスでもよい。ＭＡＣアドレスは、利用者ＩＤの利用者が使用するＰＣのネットワーク基板が有する、データリンク層のアドレスである。メールアドレスは、利用者ＩＤの利用者に付与された電子メールアドレスである。
【００９２】
なお、利用者データベースには、ノード名、ＩＰアドレス、ＭＡＣアドレス、およびメールアドレスのすべてを格納してもよいし、その一部だけ、例えば、ノード名だけを格納してもよい。すなわち、本使用電力管理システムでは、エネルギー管理サーバ３、ＰＣ、監視端末５等が、ノード名、ＩＰアドレス、ＭＡＣアドレス、およびメールアドレスの少なくとも１つを使用して通信するようにすればよい。また、利用者データベースには、利用者ＩＤおよびグループＩＤの関係を格納し、利用者ＩＤと、ノード名、ＩＰアドレス、ＭＡＣアドレス、メールアドレス等の関係は、他のテーブルに保持するようにしてもよい。
【００９３】
図１２に、スケジュールデータベース３１８の構成を例示する。スケジュールデータベース３１８は、スケジュール管理サーバ６によって、スケジュール情報を登録され、管理され、利用者間で共有される。図１２に示した表の１行（レコード）が１つのスケジュールを定義する。スケジュールデータベース３１８の各行は、ユーザＩＤ、開始日時、終了日時、タイトル、および状態フラグの各フィールドを有する。
【００９４】
ユーザＩＤは、スケジュールデータベース３１８でスケジュールを管理される利用者の識別情報である。スケジュールデータベース３１８のユーザＩＤと、接続機器データベース３１３の利用者ＩＤとが、共通のＩＤであってもよい。スケジュールデータベース３１８のユーザＩＤと、接続機器データベース３１３の利用者ＩＤとが、共通の場合には、本使用電力管理システムは、電源接続機器１のコンセントの正規利用者と、スケジュールデータベース３１８のユーザとをそのまま対応付けることができる。また、スケジュールデータベース３１８のユーザＩＤと、接続機器データベース３１３の利用者ＩＤとが、異なる場合には、スケジュールデータベース３１８のユーザＩＤと、接続機器データベース３１３の利用者ＩＤとを相互に対応付けるデータベースを設ければよい。
【００９５】
開始日時および終了日時は、スケジュール登録される対象のスケジュール、例えば、会議予定、出張予定との開始日時と終了日時である。タイトルは、スケジュールの内容を示す情報である。タイトルは、例えば、「部会」「打ち合わせ（社外）」等である。
【００９６】
状態フラグには、スケジュールに対する利用者の意思を示す情報が設定される。状態フラグが１：承認とは、利用者が当該スケジュールにしたがって行動するとの利用者の意思を示す。したがって、状態フラグが１：承認のとき、本使用電力管理システムは、利用者がスケジュール通りに行動すると予想する。
【００９７】
一方、状態フラグが２：拒否とは、利用者が当該スケジュールにしたがった行動をしないとの利用者の意思を示す。したがって、状態フラグが２：拒否のとき、本使用電力管理システムは、利用者がスケジュールを無視して行動すると予想する。また、状態フラグが３：削除は、そのスケジュールが削除されたこと示す。状態フラグが３：削除の場合、スケジュールはなかったものとして取り扱われる。
【００９８】
図１３に、メッセージマスタデータベース３１Ａの構成を例示する。メッセージマスタデータベース３１Ａは、浪費メッセージ、改善メッセージ等を定義する。図１３の表の１行（レコード）が１つの浪費メッセージまたは改善メッセージに対応する。図１３のように、メッセージマスタデータベース３１Ａの各行は、メッセージＩＤ、属性、タイプ、およびメッセージの各フィールドを有する。
【００９９】
メッセージＩＤは、メッセージを識別する情報であり、例えば、通し番号である。属性は、メッセージの種類を定義する情報である。属性は、例えば、０：豆知識メッセージ、１：浪費メッセージ（リアルタイム表示用）、２：浪費メッセージ（非リアルタイム表示用）、３：改善メッセージ等である。ここで、豆知識メッセージは、利用者に、浪費メッセージ、改善メッセージを表示しないときに、一般的知識として提供されるメッセージである。また、浪費メッセージ（リアルタイム表示用）は、エネルギー管理サーバ３が、リアルタイムに、利用者の使用電力を検出し、処理し、メッセージを利用者に表示する場合のメッセージである。ここで、リアルタイムは、例えば、所定時間（例えば、１日未満の時間長）内での処理が実行されることをいう。一方、非リアルタイムは、所定時間以内という条件がない状態での処理をいう。例えば、前日の各利用者の使用電力の検出結果にしたがって、浪費メッセージ、改善メッセージ等を利用者に表示する場合に、非リアルタイムの処理という。実施例１では、非リアルタイムの処理は、「オフラインのバッチ処理」ともいう。オフラインの処理とは、電力値の検出処理と切り離されて、後の工程で実行される処理をいう。また、バッチ処理とは、電力値等を蓄積しておき、一括して処理することをいう。
【０１００】
タイプは、電力の浪費の有無が判定されるときの条件に応じたメッセージの種類を特定する。タイプは、例えば、１：スケジュール、２：休日出勤、３：深夜残業、４：定時退社、５：昼休み、６：通電改善、０：その他である。
【０１０１】
ここで、タイプが１とは、スケジュールデータベース３１８に関連するメッセージを示す。すなわち、タイプ１のメッセージは、利用者の離席等を示すスケジュール情報がスケジュールデータベース３１８に登録されている場合に、そのスケジュールの開始日時から終了日時に至る間で、電力の浪費、あるいはその改善が確認されたときに、利用者に報知されるメッセージである。
【０１０２】
同様に、タイプが２とは、休日出勤に関連する処理を示す。すなわち、タイプ２のメッセージは、休日出勤中に、電力の浪費、あるいはその改善が確認されたときに、利用者に報知されるメッセージを示す。また、タイプが３とは、深夜残業に関連する処理を示す。すなわち、タイプ３のメッセージは、深夜残業中に、電力の浪費、あるいはその改善が確認されたときに、利用者に報知されるメッセージを示す。また、タイプが４とは、定時退社に関連する処理を示す。すなわち、タイプ４のメッセージは、定時退社日の定時退社時間後に、電力の浪費、あるいはその改善が確認されたときに、利用者に報知されるメッセージを示す。また、タイプが５とは、昼休みに関連する処理を示す。すなわち、タイプ５のメッセージは、昼休み中に、電力の浪費、あるいはその改善が確認されたときに、利用者に報知されるメッセージを示す。また、タイプが６とは、通電電力に関連する処理を示す。例えば、タイプ６のメッセージは、コンセントから機器のプラグを抜いて、機器を切り離すことができると推定される状況下で、電力の浪費、あるいはその改善が確認されたとして、利用者に報知されるメッセージを示す。
【０１０３】
図１４に、浪費改善情報データベース３１６の構成を例示する。浪費改善情報データベース３１６は、画面表示部３０８が利用者に報知する浪費メッセージ、改善メッセージを一時的に保持する。浪費メッセージ、改善メッセージは、浪費改善情報データベース３１６に登録されるが、所定の時期あるいは所定の条件で削除される。
【０１０４】
なお、実施例１では、メッセージは削除されない場合でも、表示フラグによって、表示する／しないの設定がなされ、表示の有無が制御される。例えば、浪費メッセージは、利用者による電力の浪費が改善されたときに表示を非表示に設定される。また、改善メッセージは、基本的には、利用者に改善されたことを伝達したとき、すなわち、メッセージが利用者に通知されたときに非表示に設定される。
【０１０５】
図１４の表の１行（レコード）が１つの浪費メッセージと改善メッセージに対応する。利用者による電力の浪費が検出されたときに、改善情報データベース３１６のレコードに、浪費メッセージが定義される。そして、その浪費メッセージの通知に対して、利用者の改善が検出されたときに、その浪費メッセージと同一のレコードに改善メッセージが追記される。実施例１では、浪費メッセージと同一のレコードに改善メッセージが追記されると、改善メッセージの表示が優先される。
【０１０６】
図１４のように、浪費改善情報データベース３１６の各行は、利用者ＩＤ、電源接続機器ＩＤ、センサＩＤ、表示、タイプ、浪費メッセージ、改善メッセージの各フィールドを有する。
【０１０７】
利用者ＩＤは、メッセージが報知される利用者を特定する。電源接続機器ＩＤ、およびセンサＩＤは、当該メッセージで報知する対象となった電力の浪費、あるいは改善が検出された電源接続機器１および電流センサ（コンセント）を指定する。利用者ＩＤ、電源接続機器ＩＤ、センサＩＤの定義は、図１０の接続機器データベース３１３、および図７のセンサＩＤテーブルで説明した。
【０１０８】
表示のフィールドには、メッセージの表示の有無、およびメッセージを表示する場合に、浪費メッセージと改善メッセージのいずれを表示するかを指定する。表示のフィールドは、例えば、０：非表示、１：浪費メッセージの表示、２：改善メッセージの表示を指定する。非表示の設定がなされたメッセージは、表示の対象外となる。タイプは、図１３のメッセージマスタデータベース３１Ａで説明したタイプと同様である。
【０１０９】
浪費メッセージのフィールドは、さらに、登録日時、ＭＳＧＩＤ、パラメータ１、パラメータ２等のサブフィールドを含む。登録日時は、当該浪費メッセージが登録された日時である。ＭＳＧＩＤは、図１３のメッセージマスタデータベース３１Ａで説明したメッセージＩＤである。パラメータ１、パラメータ２等は、当該浪費メッセージに埋め込まれた変数に代入されるパラメータ値である。パラメータ値は、基本的には、メッセージに書き込まれる文字列である。メッセージの変数にパラメータ値を代入することで、実際に利用者に表示されるメッセージが電力の浪費の状況に整合したものとなる。パラメータの数は、可変でよい。すなわち、メッセージマスタデータベース３１Ａに定義されたメッセージごとにパラメータの数が異なるものでもよい。
【０１１０】
改善メッセージのフィールドは、基本的に、浪費メッセージと同様である。ただし、改善メッセージには、一旦浪費メッセージで電力の浪費が通知された利用者のコンセントから、浪費の改善が検出されたときに、情報が設定される。
【０１１１】
＜システムによる処理例＞
図１５に、本使用電力管理システムによる処理を時間軸にしたがって例示する。以下は、エネルギー管理サーバ３の浪費判定部３０６と改善判定部３０７が提供する機能にしたがった処理例である。
【０１１２】
図１５の縦軸には、コンセントに接続された機器の種類ごとに消費電力、およびスケジ
ュールデータベース３１８のスケジュールが例示されている。ここで、スケジュールは、図１５の縦軸のコンセントを含む電源接続機器１の利用者のスケジュールである。電源接続機器１の利用者は、接続機器データベース３１３の利用者ＩＤで特定される。また、その利用者ＩＤによって、スケジュールデータベース３１８のスケジュールが特定される。
【０１１３】
さらに、センサＩＤ０１ａのコンセントにはＰＣが、センサＩＤ０１ｂのコンセントには扇風機が、センサＩＤ０１ｃのコンセントにはスタンド照明が接続され、一方、センサＩＤ０１ｄのコンセントは、ＰＣの正規利用者が未使用の機器が接続されているとして説明する。
【０１１４】
図１５の例では、オフィスは、例えば、８時が定時出社時刻であり、１８時が定時退社時刻である。また、８時から１８時までの定時勤務時間帯であり、１２時から１３時の間が昼休みである。さらに、２２時３０分以降が深夜残業の時間帯である。さらに、図１５の例では、午前中に社内会議が、午後には、打ち合わせ（社外）が設定されている。
【０１１５】
そして、本使用電力管理システムは、社内会議の時間帯中に、センサＩＤ：０１ａ、０１ｂ、０１ｃで電力が検出されるコンセントの電力使用状況を判定する。すなわち、本使用電力管理システムは、社内会議の時間帯では、センサＩＤ：０１ａに接続されるＰＣへの電力供給が十分に小さいレベルとなっているか、否かを判定する。また、本使用電力管理システムは、センサＩＤ：０１ｂに接続される扇風機、センサＩＤ：０１ｃに接続されるスタンド照明への供給電力が十分に小さいレベルになっているか、否かを判定する。十分に小さいレベルとは、例えば、ＰＣに対しては第２待機電力以下の電力のレベルである。また、扇風機、あるいはスタンド照明等について、十分に小さいレベルとは、使用電力０のレベルである。
【０１１６】
同様に、昼休みの時間帯についても、センサＩＤ：０１ａに接続されるＰＣ、センサＩＤ：０１ｂに接続される扇風機、センサＩＤ：０１ｃに接続されるスタンド照明への供給電力が十分に小さいレベルになっているか、否かを判定する。
【０１１７】
さらに、本使用電力管理システムは、定時退社時刻以降、例えば、定時退社日に、それぞれのコンセントからの各機器への電力供給が十分小さいレベルになっているか、否かを判定する。定時退社時刻以降の十分に小さいレベルとは、第１待機電力以下のレベル、あるいは、使用電力０のレベル等である。さらにまた、深夜残業時間に、各機器への電力供給が十分小さいレベルになっているか、否かを判定する。深夜残業時刻以降の十分に小さいレベルとは、第１待機電力以下のレベル、あるいは、使用電力０のレベル等である。そして、それぞれの判定結果に応じて、本使用電力管理システムは、浪費メッセージ、あるいは、改善メッセージを浪費改善情報データベース３１６に登録する。
【０１１８】
図１６に、浪費メッセージを登録するタイミングと、メッセージのタイプを示す。図１６は、日の種別と、時間帯で各行を分類している。日の種別としては、休日、出勤日、および定時退社日が例示されている。また、時間帯としては、定時内、スケジュール、昼休み、残業、深夜残業の各時間帯が例示されている。定時内とは、通常の勤務時間帯、すなわち、定時出社時刻から定時退社時刻までをいう。スケジュールとは、離席のスケジュールが設定されている時間帯をいう。昼休み、残業、および深夜残業は、それぞれの時間帯を示す。そして、図１６の表の横軸の電源断、第１待機電力以下、機器使用、第２待機電力以下は、それぞれ検知された電力を場合分けして示している。ここで、第１待機電力以下の電力は、通電電力と呼ばれるもので、電源オフの機器に供給される電力である。また、第２待機電力以下の電力は、スタンバイモード、あるいは、省電力モードとなっている機器に供給される電力である。また、機器使用の電力とは、第２待機電力を超える電力である。
【０１１９】
メッセージのうち、浪費を通知し、改善を促すメッセージが浪費メッセージである。一方、浪費メッセージの通知によって、浪費の改善がなされたことを通知するメッセージは、改善メッセージである。図１６では、浪費が検出されたときの浪費メッセージと、浪費の改善が確認されたときの改善メッセージを区別せずに、単にメッセージで示している。
【０１２０】
図１６の例では、電源断が検知された場合には、浪費メッセージ、改善メッセージ等は、浪費改善情報データベース３１６に登録されない。一方、休日に、第１待機電力（通電電力）以下の電力の供給が検知された場合には、通電改善（図１３、図１４のタイプ６）のメッセージが浪費改善情報データベース３１６に登録される。休日には、機器は使用されないので、たとえ、機器の電源がオフであったとしても、コンセントを通じて機器に供給される通電電力が無駄であると判断されるからである。すでに述べたように、通電電力は、例えば、ウェイクオンＬＡＮのための電力など、機器の電源オンの前に、予め機器に供給される電力である。出勤日の深夜残業時間帯、定時退社日の残業時間帯および深夜残業時間帯も同様に、第１待機電力未満の電力が検知された場合には、通電のメッセージが浪費改善情報データベース３１６に登録される。
【０１２１】
さらに、休日に、機器使用が検知された場合には、休日出勤（タイプ２）のメッセージが浪費改善情報データベース３１６に登録される。なお、休日の深夜残業の時間帯には、さらに、深夜残業（タイプ３）のメッセージが浪費改善情報データベース３１６に登録される。さらに、出勤日および定時退社日の定時内に機器使用が検知された場合、メッセージは登録されない。通常の業務を行っていると判断されるからである。ただし、出勤日および定時退社日の昼休みの時間に、機器使用が検知された場合、昼休み（タイプ５）のメッセージが浪費改善情報データベース３１６に登録される。さらに、定時退社日ではない出勤日の残業時間帯に機器使用が検知されても、メッセージは、登録されない。一方、定時退社日ではない出勤日の深夜残業の時間帯、定時退社日の残業時間帯および深夜残業時間帯に機器使用が検知された場合には、それぞれ深夜残業（タイプ３）のメッセージ、残業のメッセージ等が浪費改善情報データベース３１６に登録される。
【０１２２】
さらに、休日に、第２待機電力、すなわち、スタンバイ状態の電力供給が検出された場合には、休日出勤（タイプ２）のメッセージが浪費改善情報データベース３１６に登録される。さらに、休日の深夜残業の時間帯に第２待機電力以内の電力供給が検出された場合には、深夜残業（タイプ３）のメッセージ等が浪費改善情報データベース３１６に登録される。
【０１２３】
一方、定時退社日ではない出勤日の残業時間帯に第２待機電力以内の電力供給が検出された場合には、メッセージは登録されない。定時退社日ではない出勤日の深夜残業の時間帯に第２待機電力以内の電力供給が検出された場合には、深夜残業（タイプ３）のメッセージ等が浪費改善情報データベース３１６に登録される。定時退社日の残業時間帯、および深夜残業の時間帯についても、第２待機電力以内の電力供給が検出された場合には、それぞれの時間帯のメッセージが浪費改善情報データベース３１６に登録される。なお、図１６に示したそれぞれのタイミングで、メッセージが浪費改善情報データベース３１６に登録されるので、利用者の電力の１日の電力使用について、複数のメッセージが浪費改善情報データベース３１６に登録される場合が生じ得る。
【０１２４】
＜処理フロー＞
図１７に、エネルギー管理サーバ３による電力管理準備処理のフローチャートを例示する。エネルギー管理サーバ３は、主記憶装置に実行可能に展開されたコンピュータプログラムにより電力管理準備処理を実行する。電力管理準備処理は、図２１に示す電力管理処理の前提として、実行される処理である。
【０１２５】
エネルギー管理サーバ３は、まず、電源接続機器１およびセンサのＩＤを設定する（Ｓ１）。例えば、オフィス内に、新たな電源接続機器１が設置されたときには、システム管理者は、エネルギー管理サーバ３にアクセスし、所定の定義画面を立ち上げ、新たに設置された電源接続機器１をエネルギー管理サーバ３に登録する。例えば、４口コンセントを有する電源接続機器１に対しては、システム管理者は、１つの電源接続機器ＩＤと、４つのセンサＩＤとを設定する。設定に際して、エネルギー管理サーバ３は、未使用の電源接続機器ＩＤと、未使用のセンサＩＤを画面に表示し、ポインティングデバイス等によるシステム管理者の選択を促すようにしてもよい。エネルギー管理サーバ３は、システム管理者の指定にしたがって、電源接続機器データベース３１１のセンサＩＤテーブルに、電源接続機器ＩＤとセンサＩＤを対応付けて保存する。
【０１２６】
さらに、エネルギー管理サーバ３は、センサごとの待機電力を設定する（Ｓ２）。Ｓ２の詳細は、図１８および図１９により後述する。
【０１２７】
また、エネルギー管理サーバ３は、設置エリアのＩＤを設定する（Ｓ３）。すでに述べたように、実施例１において、設置エリアは、中継器２がカバーするエリアである。Ｓ２の処理では、設置エリアごとに、エリアＩＤと、それぞれのエリアに配置される１以上の電源接続機器１との関係が定義される。オフィス内に、新たな中継器２が設置されたときには、システム管理者は、エネルギー管理サーバ３にアクセスし、所定の定義画面を立ち上げる。そして、システム管理者は、新たに設置された中継器２がカバーするエリアのエリアＩＤ、エリア名、およびそのエリアに配置される電源接続機器１の関係をエネルギー管理サーバ３に登録する。
【０１２８】
設定に際して、エネルギー管理サーバ３は、未使用のエリアＩＤを画面に表示し、ポインティングデバイス等によるシステム管理者の選択を促すようにしてもよい。また、エネルギー管理サーバ３は、電源接続機器データベース３１１に登録済みであるが、エリアに配置していない電源接続機器の一覧を画面に表示し、ポインティングデバイス等によるシステム管理者の選択を促すようにしてもよい。また、エネルギー管理サーバ３は、エリア名の入力をシステム管理者から受け付けるようにしてもよい。エネルギー管理サーバ３は、以上のようなシステム管理者の指定にしたがって、電源接続機器データベース３１１の設置エリアＩＤテーブルに、エリアＩＤとエリア名とそのエリアに配置される電源接続機器ＩＤとを対応付けて保存する。
【０１２９】
なお、中継機２を用いないで、エネルギー管理サーバ３が電源接続機器１から使用電力（電流センサの検出電流）を収集するようにしてもよい。中継機２を用いない使用電力管理システムでは、エリアＩＤと電源接続機器ＩＤとを一対一で対応付けて保存すればよい。また、以上のＳ１からＳ３の処理は、エネルギー管理サーバ３の電力管理処理とは、切り離してオフラインで実行すればよい。また、Ｓ１の処理と、Ｓ２の処理とは、シーケンシャルに実行しなくてもよい。
【０１３０】
エネルギー管理サーバ３は、中継器２経由でそれぞれの電源接続機器１の電流センサから電流値を収集する（Ｓ４）。例えば、中継器２がカバーするエリア内の電源接続機器１の各電流ンサから電流値を定期的に取得し、エネルギー管理サーバ３に報告するようにすればよい。報告には、例えば、電源接続機器ＩＤ、センサＩＤとともに、その報告の時点において電流センサで検出されている電流値を含めるようにすればよい。ただし、中継器２は、それぞれの電源接続機器１およびそれぞれの電流センサから取得した電流値を所定の順で配列し、電流値ベクトルデータの形式で、エネルギー管理サーバ３に報告してもよい。エネルギー管理サーバ３は、電流値ベクトルデータの形式にしたがって、各電流センサの電流値を読み取ればよい。エネルギー管理サーバ３は、収集した電流値を電力値に換
算し、図９に示した形式で、電力値データベース３１２に格納すればよい。
【０１３１】
この場合、エネルギー管理サーバ３は、収集した電力値をすべて電力値データベース３１２に格納してもよい。また、エネルギー管理サーバ３は、収集した電力値のうちの一部をサンプルとして、電力値データベース３１２に格納してもよい。
【０１３２】
より具体的には、中継器２は比較的短期間、例えば、１秒間隔で電流値を取得し、エネルギー管理サーバ３に送信する。そして、エネルギー管理サーバ３は、中継器２から送信された電流値をすべて電力値に換算し、電力値データベース３１２に格納してもよい。また、エネルギー管理サーバ３は、中継器２から送信された電流値の集合から、所定期間、例えば、５分間隔でサンプル値を取得して電力値に換算し、電力値データベース３１２に格納してもよい。また、エネルギー管理サーバ３は、中継器２から送信された電流値から所定期間内の平均値、最大値、最小値、期間の始期の値、期間の終期の電力値等を求め、電力値データベース３１２に格納してもよい。
【０１３３】
図１８は、センサごとの待機電力値を設定する処理（図１７のＳ２）の詳細を例示するフローチャートである。この処理では、エネルギー管理サーバ３は、中継器２を通じて電力値が報告される全センサについて、Ｓ２１とＳ２２の処理を実行する。
【０１３４】
図１８では、エネルギー管理サーバ３は、まず、各電流センサで検出された電力値を基に、第１待機電力と第２待機電力とを算出する（Ｓ２１）。そして、エネルギー管理サーバ３は、接続機器データベース３１３のセンサＩＤと対応付けて第１待機電力と第２待機電力を設定する（Ｓ２２）。
【０１３５】
図１９は、第１待機電力と第２待機電力とを算出する処理（図１８のＳ２１の詳細）を例示するフローチャートである。この処理では、エネルギー管理サーバ３は、まず、電力値データベース３１２の各センサの所定の期間、例えば、前日の電力値のヒストグラムを作成する（Ｓ２１１）。ヒストグラムは、例えば、０Ｗから、所定ワット数の幅で、電力値データベース３１２の各センサについて、検出電力を分類し、度数分布を求めればよい。所定ワット数の幅は、例えば、０ワットから、最大ワット数の範囲を１０分割、あるいは、１００分割等に分割する幅でよい。あるいは、単に、０．１ワット、１ワット、１０ワット等の固定のワット数の幅でもよい。
【０１３６】
次に、エネルギー管理サーバ３は、０ワットの位置から電力が増加方向にヒストグラムを探索し、第１のピークを求める。ピークとは、度数が極大となる位置である。そして、エネルギー管理サーバ３は、第１のピークの右側（電力増加側）で度数０あるいは極小値になる電力値を求め、第１待機電力とする（Ｓ２１２）。エネルギー管理サーバ３のＣＰＵは、第１算出部の一例として、主記憶上に展開されたコンピュータプログラムにより、Ｓ２１２の処理を実行する。
【０１３７】
図２０に、ヒストグラムの一例を示す。第１待機電力は、コンセントに接続された機器に電源が入らない状態で、コンセントから機器に供給される電力であると考えることができる。また、第１待機電力として、第１のピークの右側（電力増加側）で度数０あるいは極小値になる電力値とするのは、第１待機電力として取り得る可能性のある最大値近傍を求めるためである。したがって、第１のピークから両側の拡がり部分（例えば、０ワットから第１のピークの電力増加側の最初の度数０の位置、または、極小値の位置までの部分）が、第１の待機電力として、計測される可能性のある値の範囲である。第１のピークから両側の拡がり部分が第１分布集合の一例である。そして、第１のピークの右側（電力増加側）で度数０あるいは極小値になる電力値を求め、第１待機電力とすることで、第１待機電力の範囲をカバーできる。また、電力管理サーバ３は、Ｓ２１２の処理によって、第
１待機電力の推定値を計算することができる。
【０１３８】
次に、エネルギー管理サーバ３は、第１のピーク位置から電力が増加方向にヒストグラムを探索し、第２のピークを求める。そして、エネルギー管理サーバ３は、第２のピークの右側（電力増加側）で度数０あるいは極小値になる電力値を求め、第２待機電力とする（Ｓ２１３）。エネルギー管理サーバ３のＣＰＵは、第２算出部の一例として、主記憶上に展開されたコンピュータプログラムにより、Ｓ２１３の処理を実行する。
【０１３９】
第２待機電力は、機器に電源が入った後、スタンバイモード、あるいは、省電力モードにおいて、コンセントから機器に供給される電力であると考えることができる。スタンバイモード、あるいは、省電力モードの機器としては、例えば、ＰＣ、ハードディスク駆動装置、表示装置等を例示できる。なお、スタンバイモード、省電力モードを合わせて、省電力モードともいう。また、ＰＣの電力を測定する場合には、ハードディスク駆動装置、表示装置等含む装置全体としての電力を測定してもよいし、デスクトップＰＣの本体部分、すなわち、ＣＰＵボード等を含む筐体部分の電力を測定してもよい。
【０１４０】
また、第２待機電力として、第２のピークの右側（電力増加側）で度数０あるいは極小値になる電力値とするのは、第２待機電力として取り得る可能性のある最大値近傍を求めるためである。すなわち、第２待機電力は、第１待機電力よりも大きな電力で、かつ、通常の操作可能なＰＣ等の機器に供給される電力よりも小さな電力と考えることができる。そこで、第１のピークに包含される度数分布の部分を除外するため、第２のピークの右側（電力増加側）で度数０あるいは極小値になる電力値を第２待機電力としている。第２のピークから両側の拡がり部分が第２分布集合の一例である。第１待機電力以下の電力は、第１待機電力に分類することで、少なくとも第１待機電力に分類される電力値を第２待機電力に分類される電力値から除外することができる。そして、第２のピークの右側（電力増加側）で度数０あるいは極小値になる電力値を求め、第２待機電力とすることで、第２待機電力の範囲をカバーできる。また、電力管理サーバ３は、Ｓ２１３の処理によって、第２待機電力の推定値を計算することができる。
【０１４１】
なお、利用者が機器をスタンバイモード、あるいは省電力モードに設定しない場合に、第２待機電力は、想定以上に大きな値となって検出される。そこで、エネルギー管理サーバ３は、Ｓ２１２の処理によって算出された第２待機電力が基準値を超えるか否かによって、利用者が省エネルギーの設定を行っているか否かを判定する（図２４参照）。
【０１４２】
図２１に、エネルギー管理サーバ３による電力管理処理のフローチャートを例示する。エネルギー管理サーバ３は、主記憶装置に実行可能に展開されたコンピュータプログラムにより電力管理処理を実行する。この処理は、オフラインのバッチ処理では、本使用電力管理システムの管理者が設定した時期、例えば、１日１回、１週間に１回等のタイミングで起動される。ただし、本使用電力管理システムの管理者がマニュアルで図２１の処理を起動するようにしてもよい。また、リアルタイム処理では、例えば、所定の時間間隔で、１日に複数回、あるいは、利用者がＰＣ等の機器の電源をオンしたとき、あるいは、利用者がＰＣ等の機器にログインしたタイミングで起動される。ただし、利用者のＰＣ等の機器から、定期的なタイミングで、図２１の処理を実行するように、要求をエネルギー管理サーバ３に送信してもよい。以上のような条件にしたがったトリガにより、エネルギー管理サーバ３は、図２１の処理を実行する。
【０１４３】
この処理では、エネルギー管理サーバ３は、まず、接続機器データベース３１３から、それぞれの電源接続機器１に接続される接続機器を確認する（Ｓ５）。そして、エネルギー管理サーバ３は、Ｓ３の処理で収集した電力値と、電力値が収集された電源接続機器１に接続される接続機器の関係を取得する。
【０１４４】
次に、エネルギー管理サーバ３は、電力値データベース３１２からスケジュール情報に対応する利用者に正規に割り当てた電源接続機器１について、電力値データベース３１２から電力値を取得する（Ｓ７）。そして、エネルギー管理サーバ３は、スケジュール情報が示す状況と、取得した電力値を基に、浪費判定を実行する（Ｓ８）。エネルギー管理サーバ３のＣＰＵは、評価部の一例として、主記憶装置に展開されたプログラムによりＳ８の浪費判定を実行する。なお、エネルギー管理サーバ３は、スケジュール情報をスケジュール管理サーバ６から取得すればよい。
【０１４５】
また、エネルギー管理サーバ３は、浪費改善情報データベース３１６から浪費改善情報を取得する（Ｓ９）。浪費改善情報は、浪費判定の結果、利用者に伝達されるメッセージを含む。次に、エネルギー管理サーバ３は、改善判定を実行する（ＳＡ）。改善判定は、浪費改善情報が伝達された利用者について、電力浪費の改善があるか否かを判定する処理である。エネルギー管理サーバ３のＣＰＵは、評価部の一例として、主記憶装置に展開されたプログラムによりＳＡの改善判定を実行する。
【０１４６】
なお、図２１の電力管理処理は、例えば、前日等、過去に収集した電力値データベース３１２のデータを基に、オフラインで、バッチ処理で実行してもよい。例えば、昨日の結果を基に、本日、利用者に改善を促す処理を実行してもよい。また、先週、先月、あるいは、過去数ヶ月の結果を基に、利用者に改善を促す処理を実行してもよい。
【０１４７】
一方、図２１の処理をリアルタイムで実行してもよい。例えば、電力値データベース３１２のデータ収集と並列に、電力管理処理を実行してもよい。また、例えば、電力値データベース３１２のデータ収集と同期して、新たなレコードが電力値データベース３１２に追加されるごとに、図２１の処理を実行してもよい。
【０１４８】
しかしながら、本使用電力管理システムの機能の実行は、オフライン（バッチ）処理、あるいは、リアルタイム処理に限定される訳ではない。そこで、以下の説明では、オフライン（バッチ）処理とリアルタイム処理で共通の処理については、特に区別せずに説明する。一方、オフライン（バッチ）処理とリアルタイム処理で異なる処理については、それぞれ違いを明示して説明する。以下、図２２から図３８により、図２１の電力管理処理の詳細を例示する。
【０１４９】
図２２は、浪費判定処理（図２１のＳ８）の詳細を例示するフローチャートである。この処理は、浪費判定部３０６が実行する処理ということもできる。この処理では、エネルギー管理サーバ３は、コンセント数分ループして以下の処理を実行する。コンセント数分ループするとは、例えば、接続機器データベース３１３に定義されたすべての電源接続機器１の各コンセントを確認するという意味である。
【０１５０】
エネルギー管理サーバ３は、まず、スケジュールチェックフローを実行する（Ｓ８１）。次に、エネルギー管理サーバ３は、省エネ未活動チェックフローを実行する（Ｓ８２）。次に、エネルギー管理サーバ３は、休日出勤チェックフローを実行する（Ｓ８３）。次に、エネルギー管理サーバ３は、定時退社日チェックフローを実行する（Ｓ８４）。次に、エネルギー管理サーバ３は、コンセント接続チェックフローを実行する（Ｓ８５）。次に、エネルギー管理サーバ３は、深夜残業チェックフローを実行する（Ｓ８６）。次に、エネルギー管理サーバ３は、昼休みチェックフローを実行する（Ｓ８７）。
【０１５１】
図２３に、浪費判定部３０６のスケジュールチェックフロー（図２２のＳ８１）の詳細を例示する。この処理では、エネルギー管理サーバ３は、スケジュールデータベース３１８のスケジュール情報を取得し、利用者の使用する機器が利用者のスケジュールに応じた
電力を使用しているか否かを確認する。この処理では、エネルギー管理サーバ３は、まず、指定日のスケジュール情報をスケジュールデータベース３１８から取得する（Ｓ８１１）。
【０１５２】
ここで、取得するスケジュール情報は、例えば、図１２に例示したスケジュールデータベース３１８の１行（１レコード）である。また、スケジュールチェック処理は、図２２に示したように、異なるコンセント数分ループする。したがって、Ｓ８１１の処理で取得するスケジュール情報は、現在処理中のコンセントの正規利用者のスケジュール情報である。例えば、現在処理中のコンセントのコンセントＩＤから、接続機器データベース３１３を参照し、利用者ＩＤを特定すればよい。そして、特定された利用者ＩＤからスケジュールデータベース３１８を参照し、特定された利用者ＩＤに係るスケジュール情報を取得すればよい。また、Ｓ８１１の処理で、指定日のスケジュール情報とは、オフラインでのバッチ処理の場合には、過去の特定時点、例えば、開始日時が昨日のスケジュール、先週のスケジュール等である。また、リアルタイム処理の場合には、指定日のスケジュール情報とは、開始日時が本日のスケジュール、あるいは、現時点が開始日時と終了日時の間にあるスケジュールである。現時点は、例えば、エネルギー管理サーバ３のＯＳのカレンダー機能と時刻機能によって提供される。したがって、Ｓ８１１の処理によって、あるコンセントの利用者の指定日のスケジュールを取得できる。指定日に関しては、以下の他の処理でも同様である。
【０１５３】
そして、エネルギー管理サーバ３は、取得したスケジュールに承認のスケジュールがあるか否かを判定する（Ｓ８１２）。承認のスケジュールとは、利用者がそのスケジュールにしたがうとの意思を表示しているスケジュール情報をいう。そのスケジュールにしたがうとは、例えば、会議のスケジュールの場合には、その会議に出席する、出張のスケジュールの場合には、出張を決定している等である。承認のスケジュールには、図１２に例示したように状態フラグが１に設定される。Ｓ８１１の処理で取得したスケジュール情報に承認のスケジュール含まれていない場合、エネルギー管理サーバ３は、スケジュールチェックフローを終了する。
【０１５４】
一方、Ｓ８１１の処理で取得したスケジュール情報に承認のスケジュール含まれている場合、エネルギー管理サーバ３は、そのスケジュールで指定されるスケジュール中間時間でのコンセントに接続されている機器に供給される電力を取得する（Ｓ８１３）。ここで、スケジュール中間時間とは、スケジュール情報（図１２参照）に示す、開始日時から終了日時に至る時間帯の中間の時刻である。中間の時刻に特に限定はなく、例えば、時間帯中央の時刻でもよい。また、リアルタイム処理の場合には、スケジュール中間時間は、現在の時刻とすればよい。Ｓ８１３の処理で取得する電力をスケジュール中間電力と呼ぶ。
【０１５５】
次に、エネルギー管理サーバ３は、スケジュール中間電力が取得できたか否かを判定する（Ｓ８１４）。スケジュール中間電力が取得できない場合とは、例えば、スケジュール中間時刻での電力が記録されていない場合である。スケジュール中間電力が取得できなかった場合、エネルギー管理サーバ３は、処理をＳ８１８に進める。
【０１５６】
一方、スケジュール中間電力を取得できた場合、エネルギー管理サーバ３は、スケジュール中間電力が第２待機電力より大きいか否かを判定する（Ｓ８１５）。ここで、第２待機電力は、例えば、ＰＣ等の機器がスタンバイ状態にあるときに機器に供給される電力である。スケジュール中間電力が第２待機電力より小さい場合、エネルギー管理サーバ３は、現在処理中のコンセントで電力の浪費がないと判定する。そして、エネルギー管理サーバ３は、処理をＳ８１８に進める。
【０１５７】
一方、スケジュール中間電力が第２待機電力より大きい場合、エネルギー管理サーバ３
は、現在処理中のコンセントで電力の浪費があると判定する。そこで、エネルギー管理サーバ３は、スケジュール浪費メッセージをメッセージマスタデータベース３１Ａから取得する（Ｓ８１６）。なお、スケジュール浪費メッセージは、スケジュール情報がスケジュールデータベース３１８に登録されて、登録されたスケジュールを利用者が承認している場合に、電力浪費が検出されたことを示すメッセージである。また、スケジュール浪費メッセージは、オフラインのバッチ処理では、属性１／タイプ１、リアルタイム処理では、属性２／タイプ１のメッセージである。
【０１５８】
そして、エネルギー管理サーバ３は、取得したスケジュール浪費メッセージを浪費改善情報データベース３１６に登録する（Ｓ８１７）。浪費改善情報データベース３１６に登録された情報は、図３８で後述する画面表示処理で表示される。
【０１５９】
次に、エネルギー管理サーバ３は、次の未処理のスケジュール情報がスケジュールデータベース３１８に残っているか否かを判定する（Ｓ８１８）。未処理のスケジュール情報が残っている場合、エネルギー管理サーバ３は、処理をＳ８１２に戻す。一方、未処理のスケジュール情報が残っていない場合、エネルギー管理サーバ３は、スケジュールチェックフローを終了する。
【０１６０】
以上のように、エネルギー管理サーバ３は、スケジュール浪費メッセージ等の浪費メッセージを浪費改善情報データベース３１６に登録する。この処理によって、利用者に表示される浪費メッセージが設定されることになる。浪費改善情報データベース３１６に登録された浪費メッセージは、図３８に示す画面表示処理にしたがって、利用者のＰＣ等に表示される。
【０１６１】
図２４に、浪費判定部３０６の省エネ未活動チェックフロー（図２２のＳ８２）の詳細を例示する。省エネ未活動チェックフローは、利用者が勤務全般に渡って、省エネルギー活動を行っているか否かを判定する処理である。この処理では、まず、エネルギー管理サーバ３は、現在の処理中のコンセントについて、第２待機電力の適否を判定する（Ｓ８２１）。エネルギー管理サーバ３のＣＰＵは、第２待機電力判定部の一例として、主記憶上に展開されたコンピュータプログラムにより、Ｓ８２１の処理を実行する。すでに説明したように、図１９の処理によって、それぞれのコンセントについて、第２待機電力が求められ、図１０に例示される接続機器データベース３１３に登録されている。現在処理中のコンセントについて、第２待機電力が、例えば、基準値より大きいか否かを判定する。Ｓ８２１の判定は、各コンセントに接続されている機器について算出した第２待機電力が適正か否かを判定する処理である。第２待機電力が適正であるとは、機器にスタンバイモード、あるいは、省電力モードが設定されて使用されていることをいう。
【０１６２】
ここで、基準値は、接続機器ごとに登録しておいてもよい。例えば、ＰＣ（デスクトップ）、ＰＣ（ノート）、電気スタンド、モバイル機器等のように、機器ごとに基準値をデータベースに登録しておけばよい。ここで、基準値としては、機器ごとのスタンバイモードでの使用電力の典型値、カタログ値、実測値、およびこれらの値に安全係数数を掛けた値等のいずれかを用いればよい。
【０１６３】
そして、第２待機電力が基準値より大きい場合、エネルギー管理サーバ３は、浪費メッセージをメッセージマスタデータベース３１Ａから取得する（Ｓ８２２）。ここで、浪費メッセージは、利用者のコンセントでほとんど省エネルギーのための処理がなされていないことを示し、節約を促すメッセージである。また、浪費メッセージは、オフラインのバッチ処理では、属性１／タイプ０、リアルタイム処理では、属性２／タイプ０のメッセージである。
【０１６４】
そして、エネルギー管理サーバ３は、取得した浪費メッセージを浪費改善情報データベース３１６に登録する（Ｓ８２３）。そして、エネルギー管理サーバ３は、省エネ未活動チェックフローを終了する。なお、Ｓ８２１の判定で、第２待機電力が基準値以下の場合もエネルギー管理サーバ３は、省エネ未活動チェックフローを終了する。
【０１６５】
浪費判定部３０６の省エネ未活動チェックフローにより、電力管理サーバ３は、図１９の処理で求めた第２待機電力が適正な値であるか否かを判定できる。また、電力管理サーバ３は、第２待機電力が適正な値であるか否かを判定することにより、利用者が勤務全般に渡って、省エネルギー活動を行っているか否かを判定することができる。
【０１６６】
図２５に、浪費判定部３０６の休日出勤チェックフロー（図２２のＳ８３）の詳細を例示する。休日出勤チェックフローは、休日に、電力が浪費されていないかチェックする処理である。この処理では、エネルギー管理サーバ３は、休日カレンダーマスタデータベース３１９から休日カレンダー情報を取得する（Ｓ８３１）。休日カレンダー情報は、休日および特別な勤務体系の日（通常勤務日以外の日）を定義した情報である。例えば、休日カレンダー情報には、土曜、日曜、および祝日となる日、および定時退社日等が登録されている。ただし、休日カレンダー情報には、休日あるいは定時退社日に限らず、すべての日の勤務状況、例えば、通常の出勤日等を含めてもよい。
【０１６７】
次に、エネルギー管理サーバ３は、指定日が休日（土日祝日）か否かを判定する（Ｓ８３２）。指定日は、図２３で説明した通りである。指定日が土日祝日でない場合、エネルギー管理サーバ３は、休日出勤チェックフローを終了する。
【０１６８】
一方、指定日が土日祝日である場合、エネルギー管理サーバ３は、現在処理中のコンセントに接続されている機器に供給された所定期間の総電力を取得する（Ｓ８３３）。ここで、所定期間は、例えば、オフラインのバッチ処理の場合には、「一日」の総電力量である。ただし、所定期間は一日に限定されることはなく、一週間、一ヶ月等の期間でもよい。一方、リアルタイム処理の場合には、期間の開始から現在までの総電力量である。期間の開始は、例えば、１日の開始、例えば、午前０時である。また、期間の開始は、例えば、週の初日（月曜日）の午前０時でもよい。また、期間の開始は、毎月１日の午前０時でもよい。
【０１６９】
次に、エネルギー管理サーバ３は、現在処理中のコンセントに接続されている機器に供給された所定期間の第１待機電力による電力量（第１待機電力量）を取得する（Ｓ８３４）。第１待機電力量は、所定期間の時間長さと第１待機電力の積である。また、すでに述べたように、第１待機電力は、コンセントに接続された機器の電源がオフのときに機器に供給される電力である。
【０１７０】
そして、エネルギー管理サーバ３は、所定期間の総電力が、第１待機電力量より大きいか否かを判定する（Ｓ８３５）。所定期間の総電力が、第１待機電力量より大きい場合、エネルギー管理サーバ３は、現在処理中のコンセントが休日に電源ＯＮであったと判定し、休日出勤浪費メッセージをメッセージマスタデータベース３１Ａから取得する（Ｓ８３６）。
【０１７１】
ここで、ここで、休日出勤浪費メッセージは、そのコンセントに接続された機器で休日に電源がオンであったことを示し、節約を促すメッセージである。また、休日出勤浪費メッセージは、オフラインのバッチ処理では、属性１／タイプ２、リアルタイム処理では、属性２／タイプ２のメッセージである。
【０１７２】
そして、エネルギー管理サーバ３は、取得した休日出勤浪費メッセージを浪費改善情報
データベース３１６に登録する（Ｓ８３７）。そして、エネルギー管理サーバ３は、休日出勤チェックフローを終了する。なお、Ｓ８３５の判定で、所定期間の総電力が、第１待機電力量以下の場合も、エネルギー管理サーバ３は、休日出勤チェックフローを終了する。
【０１７３】
図２６に、浪費判定部３０６の定時退社日チェックフロー（図２２のＳ８４）の詳細を例示する。定時退社日チェックフローは、定時退社日に、電力が浪費されていないかチェックする処理である。この処理では、エネルギー管理サーバ３は、休日カレンダーマスタデータベース３１９から休日カレンダー情報を取得する（Ｓ８４１）。すでに図２５で説明したように、休日カレンダー情報には、定時退社日が登録されている。
【０１７４】
次に、エネルギー管理サーバ３は、指定日が定時退社日か否かを判定する（Ｓ８４２）。指定日は、図２３で説明した通りである。指定日が定時退社日でない場合、エネルギー管理サーバ３は、定時退社日チェックフローを終了する。
【０１７５】
一方、指定日が定時退社日である場合、エネルギー管理サーバ３は、残業開始時間以降の時刻に、現在処理中のコンセントに接続されている機器に供給された電力（残業時間の電力）を取得する。ここで、オフラインのバッチ処理の場合、残業時間の電力とは、残業開始時刻以降のどの時間の電力でもよい。例えば、残業開始時刻以降、所定時間経過後（０分後、１０分後、１時間後等）の電力である。一方、リアルタイム処理の場合には、残業時間の電力とは、残業開始時刻以降の現在の電力である。
【０１７６】
そして、エネルギー管理サーバ３は、残業時間の電力を取得できたか否かを判定する（Ｓ８４３）。ここで、残業時間の電力を取得できない場合とは、オフラインのバッチ処理の場合に、残業時間の電力が電力値データベース３１２に記録されていない場合である。また、残業時間の電力を取得できない場合とは、リアルタイム処理の場合に、現在時刻がまだ残業開始時刻に至っていない場合である。そして、Ｓ８４３の判定で、残業時間の電力が、取得できない場合、エネルギー管理サーバ３は、定時退社日チェックフローを終了する。
【０１７７】
一方、残業時間の電力を取得できた場合に、エネルギー管理サーバ３は、残業時間の電力が第１待機電力より大きいか否かを判定する（Ｓ８４４）。残業時間の電力が第１待機電力より大きい場合、エネルギー管理サーバ３は、現在処理中のコンセントに接続された機器が定時退社日の残業時間中に電源オンであったと判定し、定時退社浪費メッセージをメッセージマスタデータベース３１Ａから取得する（Ｓ８４５）。
【０１７８】
ここで、ここで、定時退社浪費メッセージは、そのコンセントに接続された機器で定時退社日の残業時間中に電源がオンであったことを示し、節約を促すメッセージである。また、定時退社浪費メッセージは、オフラインのバッチ処理では、属性１／タイプ４、リアルタイム処理では、属性２／タイプ４のメッセージである。
【０１７９】
そして、エネルギー管理サーバ３は、取得した定時退社浪費メッセージを浪費改善情報データベース３１６に登録する（Ｓ８４６）。そして、エネルギー管理サーバ３は、定時退社日チェックフローを終了する。なお、Ｓ８４４の判定で、残業時間の電力が第１待機電力以下の場合も、エネルギー管理サーバ３は、定時退社日チェックフローを終了する。
【０１８０】
図２７に、浪費判定部３０６のコンセント接続チェックフロー（図２２のＳ８５）を例示する。コンセント接続チェックフローは、深夜等、本来コンセントに接続された機器が使用されていない状況での電力の浪費の有無を判定する処理である。例えば、電源オフの状態でも電力を消費する機器ついて、コンセントからの電源プラグの抜き取りを確認する
処理である。
【０１８１】
この処理では、まず、エネルギー管理サーバ３は、現在の処理中のコンセントに接続された機器に、指定日のチェック時刻（例えば、午前０時０分）に供給された電力（以下、チェック電力と呼ぶ）を取得する。ただし、チェック時刻が午前０時に限定される訳ではない。そして、エネルギー管理サーバ３は、チェック電力を取得できたか否かを判定する（Ｓ８５１）。チェック電力を取得できない場合とは、電力値データベース３１２に、指定日のチェック時刻に供給された電力が記録されていない場合である。チェック電力を取得できない場合には、エネルギー管理サーバ３は、コンセント接続チェック処理を終了する。
【０１８２】
一方、チェック電力を取得できた場合には、エネルギー管理サーバ３は、チェック電力が０を超えた有意の値であるか否かを判定する（Ｓ８５２）。そして、０より大きい有意な値のチェック電力が検出された場合、エネルギー管理サーバ３は、通電浪費メッセージをメッセージマスタデータベース３１Ａから取得する（Ｓ８５３）。ここで、通電浪費メッセージは、本来機器が使用されない深夜等に現在処理中のコンセントに接続された機器に電力が供給されたことを示し、節約を促すメッセージである。また、通電浪費メッセージは、オフラインのバッチ処理では、属性１／タイプ６、リアルタイム処理では、属性２／タイプ６のメッセージである。
【０１８３】
そして、エネルギー管理サーバ３は、取得した通電浪費メッセージを浪費改善情報データベース３１６に登録する（Ｓ８５４）。そして、エネルギー管理サーバ３は、コンセント接続チェックフローを終了する。なお、Ｓ８５２の判定で、チェック電力が０を超えた有意の値に達しない場合もエネルギー管理サーバ３は、コンセント接続チェックフローを終了する。
【０１８４】
なお、なお、Ｓ８５２の判定で、チェック電力は、第１待機電力未満であると想定される。しかし、チェック電力が第１待機電力を超えている場合には、通電浪費メッセージよりもさらに深刻な浪費メッセージを浪費改善情報データベース３１６に登録するようにしてもよい。
【０１８５】
また、上記では、チェック電力の一例として午前０時にコンセントから機器に供給された電力を確認した。午前０時の電力をチェックする意義は以下の通りである。例えば、退勤時、利用者がコンセントから機器の電源プラグを引き抜かない場合、その後、次の出勤日までコンセントには機器の電源プラグが接続されたままとなる。したがって、深夜、例えば、午前０時から午前５時くらまでの間の電力をチェックすることで、通電電力による浪費を検出できる可能性が高まる。このようにチェック電力は午前０時に限定されることはないが、深夜、本来、利用者がオフィスにいないと想定される時刻であることが望ましい。
【０１８６】
図２８に、浪費判定部３０６の深夜残業チェックフロー（図２２のＳ８６）を例示する。深夜残業チェックフローは、深夜残業時間での電力の浪費の有無を判定する処理である。この処理では、まず、エネルギー管理サーバ３は、現在の処理中のコンセントに接続された機器に、指定日の深夜残業開始時刻以降に供給された電力（以下、深夜残業の電力と呼ぶ）を取得する。ここで、オフラインのバッチ処理の場合、深夜残業時間の電力とは、深夜残業開始時刻以降のどの時間の電力でもよい。例えば、深夜残業開始時刻以降、所定時間経過後（０分後、１０分後、１時間後等）の電力である。一方、リアルタイム処理の場合には、深夜残業時間の電力とは、深夜残業開始時刻以降の現在の電力である。そして、エネルギー管理サーバ３は、深夜残業の電力を取得できたか否かを判定する（Ｓ８６１）。深夜残業の電力を取得できない場合とは、オフラインのバッチ処理の場合に、電力値データベース３１２に、指定日の深夜残業時間に供給された電力が記録されていない場合
である。また、深夜残業の電力を取得できない場合とは、リアルタイム処理の場合に、現在時刻がまだ深夜残業開始時刻に至っていない場合である。深夜残業の電力を取得できない場合には、エネルギー管理サーバ３は、深夜残業チェックフローを終了する。
【０１８７】
一方、深夜残業の電力を取得できた場合には、エネルギー管理サーバ３は、深夜残業の電力が第１待機電力より大きいか否かを判定する（Ｓ８６２）。そして、深夜残業の電力が第１待機電力より大きい場合、エネルギー管理サーバ３は、深夜残業浪費メッセージをメッセージマスタデータベース３１Ａから取得する（Ｓ８６３）。ここで、深夜残業浪費メッセージは、深夜残業の時間帯に現在処理中のコンセントに接続された機器に電力が供給されたことを示し、節約を促すメッセージである。また、深夜残業浪費メッセージは、オフラインのバッチ処理では、属性１／タイプ３、リアルタイム処理では、属性２／タイプ３のメッセージである。
【０１８８】
そして、エネルギー管理サーバ３は、取得した深夜残業浪費メッセージを浪費改善情報データベース３１６に登録する（Ｓ８６４）。そして、エネルギー管理サーバ３は、コンセント接続チェックフローを終了する。なお、Ｓ８６２の判定で、深夜残業の電力が第１待機電力以下の場合もエネルギー管理サーバ３は、省エネ未活動チェックフローを終了する。
【０１８９】
図２９に、浪費判定部３０６の昼休みチェックフロー（図２２のＳ８７）の詳細を例示する。昼休みチェックフローは、昼休みに、電力が浪費されていないかチェックする処理である。この処理では、エネルギー管理サーバ３は、指定日の昼休みの時間中に、現在処理中のコンセントから機器に供給された電力を取得する。エネルギー管理サーバ３は、オフラインのバッチ処理の場合に、昼休みの開始から終了までのどの時間の電力を取得してもよい。一方、リアルタイム処理の場合には、エネルギー管理サーバ３は、昼休み時間帯の現在の電力を取得する。ここでは、エネルギー管理サーバ３が取得する電力を昼休みの中間時間の電力と呼ぶ。そして、エネルギー管理サーバ３は、昼休みの中間時間の電力を取得できたか否かを判定する（Ｓ８７１）。ここで、昼休みの中間時間の電力を取得できない場合とは、オフラインのバッチ処理の場合に、昼休みの中間時間の電力が電力値データベース３１２に記録されていない場合である。また、昼休みの中間時間の電力を取得できない場合とは、リアルタイム処理の場合に、現在時刻がまだ昼休みの時間帯に至っていない場合である。昼休みの中間時間の電力を取得できない場合、エネルギー管理サーバ３は、昼休みチェックフローを終了する。
【０１９０】
一方、昼休みの中間時間の電力を取得できた場合、エネルギー管理サーバ３は、指定日が平日か否かを判定する（Ｓ８７２）。指定日が平日か否かは、休日カレンダーマスタデータベース３１９を参照して、判定すればよい。そして、指定日が平日でない場合、エネルギー管理サーバ３は、昼休みチェックフローを終了する。
【０１９１】
一方、指定日が平日である場合、エネルギー管理サーバ３は、昼休みの中間時間の電力が第２待機電力より大きいか否かを判定する（Ｓ８７３）。そして、昼休みの中間時間の電力が第２待機電力より大きい場合、エネルギー管理サーバ３は、昼休みに電力を浪費していると判定し、昼休み浪費メッセージをメッセージマスタデータベース３１Ａから取得する（Ｓ８７４）。
【０１９２】
ここで、ここで、昼休み浪費メッセージは、利用者のコンセントで昼休み中に電源が電力の浪費あったことを示し、節約を促すメッセージである。また、昼休み浪費メッセージは、オフラインのバッチ処理では、属性１／タイプ５、リアルタイム処理では、属性２／タイプ５のメッセージである。
【０１９３】
そして、エネルギー管理サーバ３は、取得した昼休み浪費メッセージを浪費改善情報データベース３１６に登録する（Ｓ８７５）。そして、エネルギー管理サーバ３は、昼休みチェックフローを終了する。なお、Ｓ８７３の判定で、昼休みの中間時間の電力が第２待機電力以下の場合も、エネルギー管理サーバ３は、昼休みチェックフローを終了する。
【０１９４】
図３０は、改善判定処理（図２１のＳＡ）の詳細を例示するフローチャートである。この処理は、改善判定部３０７が実行する処理ということもできる。改善判定処理は、図２２で説明した浪費判定処理による浪費メッセージに対して、改善がなされたか否かを判定する処理である。ただし、図３０の処理の流れ（ＳＡ１からＳＡ７）は、図２２の処理の流れ（Ｓ８１からＳ８７）と同様であるので、その説明を省略する。なお、ＳＡ１からＳＡ７の各ステップ詳細は、以下、図３１から図３７により説明する。
【０１９５】
図３１に、改善判定部３０７のスケジュールチェックフロー（図３０のＳＡ１）の詳細を例示する。この処理では、浪費判定部３０６のスケジュールチェックフローによる浪費の指摘に対して、改善がなされたか否かが確認される。この処理では、エネルギー管理サーバ３は、まず、指定日のスケジュール情報をスケジュールデータベース３１８から取得する（ＳＡ１１）。
【０１９６】
そして、エネルギー管理サーバ３は、取得したスケジュール情報に承認のスケジュールがあるか否かを判定する（ＳＡ１２）。ＳＡ１１の処理で取得したスケジュール情報に承認のスケジュール含まれていない場合、エネルギー管理サーバ３は、スケジュールチェックフローを終了する。
【０１９７】
一方、Ｓ８１１の処理で取得したスケジュール情報に承認のスケジュール含まれている場合、エネルギー管理サーバ３は、そのスケジュールについて、スケジュール中間時間でのコンセントに接続されている機器に供給される電力（スケジュール中間電力）を取得する（ＳＡ１３）。
【０１９８】
次に、エネルギー管理サーバ３は、スケジュール中間電力が取得できたか否かを判定する（ＳＡ１４）。スケジュール中間電力が取得できなかった場合、エネルギー管理サーバ３は、処理をＳＡ１Ａに進める。
【０１９９】
一方、スケジュール中間電力を取得できた場合、エネルギー管理サーバ３は、スケジュール中間電力が第２待機電力より大きいか否かを判定する（ＳＡ１５）。スケジュール中間電力が第２待機電力より大きい場合、エネルギー管理サーバ３は、現在処理中のコンセントで電力を浪費している判定する。実施例１において一般に、改善判定部３０７の処理で電力を浪費している場合には、浪費の改善が確認できないことを意味する。そこで、エネルギー管理サーバ３は、浪費の改善が確認できないとして、処理をＳＡ１Ａに進める。
【０２００】
一方、スケジュール中間電力が第２待機電力以下の場合、エネルギー管理サーバ３は、浪費していない、すなわち、浪費が改善されたと判定する。このとき、エネルギー管理サーバ３は、スケジュール浪費メッセージを含むレコードを浪費改善情報データベース３１６から取得する（ＳＡ１６）。ここで、浪費改善情報データベース３１６から取得するレコードは、浪費判定部３０６のスケジュールチェックフロー（図２３）で、登録された浪費メッセージ（タイプ１）を含むレコードである。ＳＡ１５の判定で、浪費の改善が判定されたため、浪費メッセージを含むレコードに、改善メッセージを追記するために、エネルギー管理サーバ３は、スケジュール浪費メッセージを含むレコードを取得する。
【０２０１】
そして、エネルギー管理サーバ３は、浪費改善情報データベース３１６からスケジュール浪費メッセージを含むレコードを取得できたか否かを判定する（ＳＡ１７）。ここで、
浪費改善情報データベース３１６からスケジュール浪費メッセージを含むレコードを取得できなかった場合、エネルギー管理サーバ３は、処理をＳＡ１Ａに進める。この場合、スケジュール浪費メッセージを含むレコードが浪費改善情報データベース３１６にない。このため、ＳＡ１５の判定で、電力を浪費していないと判断した場合でも、エネルギー管理サーバ３は、ＳＡ１５の判定結果が浪費メッセージにしたがって改善したものではないと判断するからである。
【０２０２】
一方、浪費改善情報データベース３１６からスケジュール浪費メッセージを含むレコードを取得できた場合、エネルギー管理サーバ３は、スケジュール浪費メッセージにしたがって改善したと判断する。そこで、エネルギー管理サーバ３は、スケジュール改善メッセージをメッセージマスタデータベース３１Ａから取得する（ＳＡ１８）。なお、スケジュール改善メッセージは、スケジュール浪費メッセージを受けた利用者の電力の浪費に改善が確認されたことを示すメッセージである。また、スケジュール改善メッセージは、属性３／タイプ１のメッセージである。
【０２０３】
そして、エネルギー管理サーバ３は、取得したスケジュール改善メッセージを浪費改善情報データベース３１６に登録する（ＳＡ１９）。
【０２０４】
次に、エネルギー管理サーバ３は、次の未処理のスケジュール情報がスケジュールデータベース３１８に残っているか否かを判定する（ＳＡ１Ａ）。未処理のスケジュール情報がスケジュールデータベース３１８に残っている場合、エネルギー管理サーバ３は、処理をＳＡ１２に戻す。一方、未処理のスケジュール情報がスケジュールデータベース３１８に残っていない場合、エネルギー管理サーバ３は、改善判定部３０７のスケジュールチェックフローを終了する。
【０２０５】
以上のように、エネルギー管理サーバ３は、スケジュール改善メッセージ等の改善メッセージを浪費改善情報データベース３１６に登録する。この処理によって、利用者に表示される改善メッセージが設定されることになる。浪費改善情報データベース３１６に登録された改善メッセージは、図３８に示す画面表示処理にしたがって、利用者のＰＣ等に表示される。
【０２０６】
図３２に、改善判定部３０７の省エネ未活動チェックフロー（図３０のＳＡ２）の詳細を例示する。この処理では、まず、エネルギー管理サーバ３は、現在の処理中のコンセントについて、第２待機電力の適否を判定する（ＳＡ２１）。すなわち、浪費判定部３０６の場合（図２４のＳ８２１）と同様、エネルギー管理サーバ３は、第２待機電力が基準値より大きいか否かを判定する。
【０２０７】
そして、第２待機電力が基準値より大きい場合、エネルギー管理サーバ３は、
改善が確認できないと判断し、改善判定部３０７の省エネ未活動チェックフローを終了する。一方、第２待機電力が基準値以下の場合、エネルギー管理サーバ３は、浪費していない、すなわち、浪費が改善されたと判定する。このとき、エネルギー管理サーバ３は、浪費メッセージを含むレコードを浪費改善情報データベース３１６から取得する（ＳＡ２２）。省エネ未活動の浪費メッセージは、タイプ０（その他）のメッセージである。そして、エネルギー管理サーバ３は、浪費改善情報データベース３１６から浪費メッセージを含むレコードを取得できたか否かを判定する（ＳＡ２３）。ここで、浪費改善情報データベース３１６から浪費メッセージを含むレコードを取得できなかった場合、エネルギー管理サーバ３は、改善判定部３０７の省エネ未活動チェックフローを終了する。
【０２０８】
一方、浪費改善情報データベース３１６から浪費メッセージを含むレコードを取得できた場合、エネルギー管理サーバ３は、浪費メッセージにしたがって改善したと判断する。
そこで、エネルギー管理サーバ３は、改善メッセージをメッセージマスタデータベース３１Ａから取得する（ＳＡ２４）。なお、改善メッセージは、省エネ未活動との浪費メッセージを受けた利用者の電力の浪費に改善が確認されたことを示すメッセージである。また、この場合改善メッセージは、属性３／タイプ０のメッセージである。そして、エネルギー管理サーバ３は、取得した改善メッセージを浪費改善情報データベース３１６に登録する（ＳＡ２５）。
【０２０９】
図３３に、改善判定部３０７の休日出勤チェックフロー（図３０のＳＡ３）の詳細を例示する。この処理では、エネルギー管理サーバ３は、休日カレンダーマスタデータベース３１９から休日カレンダー情報を取得する（ＳＡ３１）。
【０２１０】
次に、エネルギー管理サーバ３は、指定日が休日（土日祝日）か否かを判定する（ＳＡ３２）。指定日が土日祝日でない場合、エネルギー管理サーバ３は、休日出勤チェックフローを終了する。
【０２１１】
一方、指定日が土日祝日である場合、エネルギー管理サーバ３は、現在処理中のコンセントに接続されている機器に供給された所定期間の総電力を取得する（ＳＡ３３）。次に、エネルギー管理サーバ３は、現在処理中のコンセントに接続されている機器に供給された所定期間の第１待機電力による電力量（第１待機電力量）を取得する（ＳＡ３４）。
【０２１２】
そして、エネルギー管理サーバ３は、所定期間の総電力が、第１待機電力量より大きいか否かを判定する（ＳＡ３５）。所定期間の総電力が、第１待機電力量より大きい場合、エネルギー管理サーバ３は、改善が確認できないと判断し、改善判定部３０７の休日出勤チェックフローを終了する。一方、所定期間の総電力が、第１待機電力量以下の場合、エネルギー管理サーバ３は、浪費していない、すなわち、浪費が改善されたと判定する。このとき、エネルギー管理サーバ３は、休日出勤浪費メッセージを含むレコードを浪費改善情報データベース３１６から取得する（ＳＡ３６）。休日出勤浪費メッセージは、タイプ２のメッセージである。そして、エネルギー管理サーバ３は、浪費改善情報データベース３１６から休日出勤浪費メッセージを含むレコードを取得できたか否かを判定する（ＳＡ３７）。ここで、浪費改善情報データベース３１６から休日出勤浪費メッセージを含むレコードを取得できなかった場合、エネルギー管理サーバ３は、改善判定部３０７の休日出勤チェックフローを終了する。
【０２１３】
一方、浪費改善情報データベース３１６から休日出勤浪費メッセージを含むレコードを取得できた場合、エネルギー管理サーバ３は、休日出勤浪費メッセージにしたがって改善したと判断する。そこで、エネルギー管理サーバ３は、休日出勤改善メッセージをメッセージマスタデータベース３１Ａから取得する（ＳＡ３８）。なお、休日出勤改善メッセージは、休日出勤浪費メッセージを受けた利用者の電力の浪費に改善が確認されたことを示すメッセージである。また、休日出勤改善メッセージは、属性３／タイプ２のメッセージである。そして、エネルギー管理サーバ３は、取得した休日出勤改善メッセージを浪費改善情報データベース３１６に登録する（ＳＡ３９）。
【０２１４】
図３４に、改善判定部３０７の定時退社日チェックフロー（図３０のＳＡ４）の詳細を例示する。この処理では、エネルギー管理サーバ３は、休日カレンダーマスタデータベース３１９から休日カレンダー情報を取得する（ＳＡ４１）。
【０２１５】
次に、エネルギー管理サーバ３は、指定日が定時退社日か否かを判定する（ＳＡ４２）。指定日が定時退社日でない場合、エネルギー管理サーバ３は、定時退社日チェックフローを終了する。
【０２１６】
一方、指定日が定時退社日である場合、エネルギー管理サーバ３は、残業開始時間以降の時刻に、現在処理中のコンセントに接続されている機器に供給された電力（残業時間の電力）を取得する。そして、エネルギー管理サーバ３は、残業時間の電力を取得できたか否かを判定する（ＳＡ４３）。残業時間の電力を取得できない場合、エネルギー管理サーバ３は、改善判定部３０７の定時退社日チェックフローを終了する。
【０２１７】
一方、残業時間の電力を取得できた場合に、エネルギー管理サーバ３は、残業時間の電力が第１待機電力より大きいか否かを判定する（ＳＡ４４）。残業時間の電力が第１待機電力より大きい場合、エネルギー管理サーバ３は、改善が確認できないと判断し、改善判定部３０７の定時退社日チェックフローを終了する。一方、残業時間の電力が第１待機電力以下の場合、エネルギー管理サーバ３は、浪費していない、すなわち、浪費が改善されたと判定する。このとき、エネルギー管理サーバ３は、定時退社浪費メッセージを含むレコードを浪費改善情報データベース３１６から取得する（ＳＡ４５）。定時退社浪費メッセージは、タイプ４のメッセージである。そして、エネルギー管理サーバ３は、浪費改善情報データベース３１６から定時退社日浪費メッセージを含むレコードを取得できたか否かを判定する（ＳＡ４６）。ここで、浪費改善情報データベース３１６から定時退社日浪費メッセージを含むレコードを取得できなかった場合、エネルギー管理サーバ３は、改善判定部３０７の定時退社日チェックフローを終了する。
【０２１８】
一方、浪費改善情報データベース３１６から定時退社浪費メッセージを含むレコードを取得できた場合、エネルギー管理サーバ３は、定時退社浪費メッセージにしたがって改善したと判断する。そこで、エネルギー管理サーバ３は、定時退社改善メッセージをメッセージマスタデータベース３１Ａから取得する（ＳＡ４７）。なお、定時退社改善メッセージは、定時退社浪費メッセージを受けた利用者の電力の浪費に改善が確認されたことを示すメッセージである。また、定時退社改善メッセージは、属性３／タイプ４のメッセージである。そして、エネルギー管理サーバ３は、取得した改善メッセージを浪費改善情報データベース３１６に登録する（ＳＡ４８）。
【０２１９】
図３５に、改善判定部３０７のコンセント接続チェックフロー（図３０のＳＡ５）を例示する。この処理では、まず、エネルギー管理サーバ３は、現在の処理中のコンセントに接続された機器に、指定日のチェック時刻、例えば、午前０時０分に供給されたチェック電力を取得する。そして、エネルギー管理サーバ３は、チェック電力を取得できたか否かを判定する（ＳＡ５１）。チェック電力を取得できない場合には、エネルギー管理サーバ３は、コンセント接続チェック処理を終了する。
【０２２０】
一方、チェック電力を取得できた場合には、エネルギー管理サーバ３は、チェック電力が０を超えた有意の値であるか否かを判定する（ＳＡ５２）。そして、チェック電力が０より大きい有意の値である場合、エネルギー管理サーバ３は、改善が確認できないと判断し、改善判定部３０７のコンセント接続チェックフローを終了する。一方、チェック電力が０を超えた有意の値に達しない場合、エネルギー管理サーバ３は、浪費していない、すなわち、浪費が改善されたと判定する。このとき、エネルギー管理サーバ３は、通電浪費メッセージを含むレコードを浪費改善情報データベース３１６から取得する（ＳＡ５３）。通電浪費メッセージは、タイプ６のメッセージである。そして、エネルギー管理サーバ３は、浪費改善情報データベース３１６から通電浪費メッセージを含むレコードを取得できたか否かを判定する（ＳＡ５４）。ここで、浪費改善情報データベース３１６から通電浪費メッセージを含むレコードを取得できなかった場合、エネルギー管理サーバ３は、改善判定部３０７の省エネ未活動チェックフローを終了する。
【０２２１】
一方、浪費改善情報データベース３１６から通電浪費メッセージを含むレコードを取得できた場合、エネルギー管理サーバ３は、通電浪費メッセージにしたがって改善したと判
断する。そこで、エネルギー管理サーバ３は、通電改善メッセージをメッセージマスタデータベース３１Ａから取得する（ＳＡ５５）。なお、通電改善メッセージは、通電浪費メッセージを受けた利用者の電力の浪費に改善が確認されたことを示すメッセージである。また、通電改善メッセージは、属性３／タイプ６のメッセージである。そして、エネルギー管理サーバ３は、取得した通電改善メッセージを浪費改善情報データベース３１６に登録する（ＳＡ５６）。
【０２２２】
図３６に、改善判定部３０７の深夜残業チェックフロー（図３０のＳＡ６）を例示する。この処理では、まず、エネルギー管理サーバ３は、現在の処理中のコンセントに接続された機器に、指定日の深夜残業開始時刻以降に供給された深夜残業の電力を取得する。そして、エネルギー管理サーバ３は、深夜残業の電力を取得できたか否かを判定する（ＳＡ６１）。深夜残業の電力を取得できない場合には、エネルギー管理サーバ３は、深夜残業チェックフローを終了する。
【０２２３】
一方、深夜残業の電力を取得できた場合には、エネルギー管理サーバ３は、深夜残業の電力が第１待機電力より大きいか否かを判定する（ＳＡ６２）。そして、深夜残業の電力が第１待機電力より大きい場合、エネルギー管理サーバ３は、改善が確認できないと判断し、改善判定部３０７の深夜残業チェックフローを終了する。一方、深夜残業の電力が第１待機電力以下の場合、エネルギー管理サーバ３は、浪費していない、すなわち、浪費が改善されたと判定する。このとき、エネルギー管理サーバ３は、深夜残業浪費メッセージを含むレコードを浪費改善情報データベース３１６から取得する（ＳＡ６３）。深夜残業浪費メッセージは、タイプ３のメッセージである。そして、エネルギー管理サーバ３は、浪費改善情報データベース３１６から深夜残業浪費メッセージを含むレコードを取得できたか否かを判定する（ＳＡ６４）。ここで、浪費改善情報データベース３１６から深夜残業浪費メッセージを含むレコードを取得できなかった場合、エネルギー管理サーバ３は、改善判定部３０７の深夜残業チェックフローを終了する。
【０２２４】
一方、浪費改善情報データベース３１６から深夜残業浪費メッセージを含むレコードを取得できた場合、エネルギー管理サーバ３は、深夜残業浪費メッセージにしたがって改善したと判断する。そこで、エネルギー管理サーバ３は、深夜残業改善メッセージをメッセージマスタデータベース３１Ａから取得する（ＳＡ６５）。なお、深夜残業改善メッセージは、深夜残業浪費メッセージを受けた利用者の電力の浪費に改善が確認されたことを示すメッセージである。また、深夜残業改善メッセージは、属性３／タイプ６のメッセージである。そして、エネルギー管理サーバ３は、取得した改善メッセージを浪費改善情報データベース３１６に登録する（ＳＡ６６）。
【０２２５】
図３７に、改善判定部３０７の昼休みチェックフロー（図３０のＳＡ７）の詳細を例示する。この処理では、エネルギー管理サーバ３は、指定日の昼休みの時間中に、現在処理中のコンセントから機器に供給された昼休みの中間時間の電力を取得する。そして、エネルギー管理サーバ３は、昼休みの中間時間の電力を取得できたか否かを判定する（ＳＡ７１）。昼休みの中間時間の電力を取得できない場合、エネルギー管理サーバ３は、昼休みチェックフローを終了する。
【０２２６】
一方、昼休みの中間時間の電力を取得できた場合、エネルギー管理サーバ３は、指定日が平日か否かを判定する（ＳＡ７２）。そして、指定日が平日でない場合、エネルギー管理サーバ３は、昼休みチェックフローを終了する。
【０２２７】
一方、指定日が平日である場合、エネルギー管理サーバ３は、昼休みの中間時間の電力が第２待機電力より大きいか否かを判定する（ＳＡ７３）。そして、昼休みの中間時間の電力が第２待機電力より大きい場合、エネルギー管理サーバ３は、改善が確認できないと
判断し、改善判定部３０７の昼休みチェックフローを終了する。一方、第２待機電力が第２待機電力以下の場合、エネルギー管理サーバ３は、浪費していない、すなわち、浪費が改善されたと判定する。このとき、エネルギー管理サーバ３は、昼休み浪費メッセージを含むレコードを浪費改善情報データベース３１６から取得する（ＳＡ７４）。昼休み浪費メッセージは、タイプ５のメッセージである。そして、エネルギー管理サーバ３は、浪費改善情報データベース３１６から昼休み浪費メッセージを含むレコードを取得できたか否かを判定する（ＳＡ７５）。ここで、浪費改善情報データベース３１６から昼休み浪費メッセージを含むレコードを取得できなかった場合、エネルギー管理サーバ３は、改善判定部３０７の昼休みチェックフローを終了する。
【０２２８】
一方、浪費改善情報データベース３１６から昼休み浪費メッセージを含むレコードを取得できた場合、エネルギー管理サーバ３は、昼休み浪費メッセージにしたがって改善したと判断する。そこで、エネルギー管理サーバ３は、昼休み改善メッセージをメッセージマスタデータベース３１Ａから取得する（ＳＡ７６）。なお、昼休み改善メッセージは、昼休み浪費メッセージを受けた利用者の電力の浪費に改善が確認されたことを示すメッセージである。また、昼休み改善メッセージは、属性３／タイプ５のメッセージである。そして、エネルギー管理サーバ３は、取得した昼休み改善メッセージを浪費改善情報データベース３１６に登録する（ＳＡ７７）。
【０２２９】
図３８は、画面表示処理の詳細を例示するフローチャートである。図６の画面表示部３０８は、例えば、図３８のフローチャートにしたがって画面表示処理を実行する。図３８の画面表示処理では、毎起動時処理、週次処理、および月次処理が例示されている。
【０２３０】
本実施形態では、利用者がＰＣを起動し、あるいは、ＰＣにログインしたときに、ＰＣからエネルギー管理サーバ３に、ＰＣの起動、あるいはログインが通知される。各利用者のＰＣには、エネルギー管理サーバ３のノード名、ＩＰアドレス、ＭＡＣアドレス等が記憶されている。ＰＣは、例えば、利用者がＰＣを起動したとき、あるいは、利用者がＰＣにログインしたときに、エネルギー管理サーバ３のノード名、ＩＰアドレス、ＭＡＣアドレス等のいずれかを用いて、エネルギー管理サーバ３に、起動、あるいは、ログインを通知する。
【０２３１】
ＰＣの起動、あるいはログインがエネルギー管理サーバ３に通知されると、エネルギー管理サーバ３は、ＰＣのネットワーク上のノード名、ＩＰアドレス、ＭＡＣアドレス等を取得する。そして、エネルギー管理サーバ３は、図１１に例示した利用者データベースを検索し、通知元のＰＣのネットワーク上のノード名、ＩＰアドレス、ＭＡＣアドレス等から利用者ＩＤを特定して、画面表示処理を起動する。また、画面表示処理は、利用者ごとに、所定の時間間隔で（例えば、１時間に１回、１日１回等）で起動されるようにしてもよい。また、画面表示処理は、利用者ごとに所定の時刻に（毎日１０時、１２時、１５時等）起動されるようにしてもよい。例えば、これらの時間間隔、あるいは時刻において、利用者のＰＣがエネルギー管理サーバ３に、画面表示処理の実行を要求すればよい。画面表示処理の実行要求の手順は、上記のＰＣからエネルギー管理サーバ３への起動の通知、あるいは、ログインの通知と同様である。以上のように、画面表示処理は、利用者ごとに実行される処理である。したがって、図３８は、１人の利用者に対する処理を例示している。ただし、画面表示処理が毎起動時処理、週次処理、および月次処理に限定される訳ではない。
【０２３２】
また、利用者のＰＣからの起動の通知、ログインの通知、あるいは実行の要求による代わりに、画面表示処理は、例えば、電子メール等によって、メッセージを利用者のＰＣに通知してもよい。画面表示を電子メールの通知で実行する場合には、エネルギー管理サーバ３は、利用者のＰＣの起動、利用者のＰＣへのログイン等に関わらず、図３８の処理を
実行すればよい。その場合に、エネルギー管理サーバ３から利用者のＰＣに送信されるメッセージは、電子メールのメールサーバ、あるいはメッセージのキュー等に蓄積しておけばよい。また、画面表示を電子メールの通知で実行する場合には、利用者ＩＤと電子メールアドレスを対応付けてデータベースに保存しておけばよい。あるいは、利用者ＩＤとして、電子メールアドレスを設定してもよい。
【０２３３】
エネルギー管理サーバ３は、画面表示処理の実行を開始すると、浪費改善情報データベース３１６から、現在処理中の利用者に対する表示対象のメッセージを取得する（Ｄ１）。表示対象のメッセージは、例えば、表示フラグが０以外に設定されている。一方、浪費改善情報データベース３１６に登録されたメッセージであっても、表示フラグが０のメッセージは、Ｄ１の処理で取得されない。そのため、表示フラグによって、利用者のＰＣ等に表示するメッセージと表示しないメッセージとを制御できる。
【０２３４】
次に、エネルギー管理サーバ３は、１人の利用者宛に、改善メッセージが１つ以上あるか否かを判定する（Ｄ２）。１人の利用者宛に、改善メッセージが１つ以上ある場合、エネルギー管理サーバ３は、その利用者のＰＣ上で、改善メッセージのいずれかをランダムに取得して、利用者のＰＣに表示させる（Ｄ３）。ここで表示させるとは、ＨＴＴＰ等によって、ＰＣの画面上にメッセージを表示することをいう。ただし、電子メールによる場合には、Ｄ３の処理は、利用者のＰＣへのメッセージの送信である。以下、画面表示処理での「表示させる」との意味は、Ｄ３と同様である。そして、エネルギー管理サーバ３は、表示させた改善メッセージの表示フラグを０（非表示）に設定する（Ｄ４）。その後、エネルギー管理サーバ３は、処理をＤ８（週次処理）に進める。
【０２３５】
一方、Ｄ２の判定で、現在処理中の利用者宛に、改善メッセージがない場合、エネルギー管理サーバ３は、現在処理中の利用者宛に、消費メッセージが１つ以上あるか否かを判定する（Ｄ５）。現在処理中の利用者に浪費メッセージが１つ以上ある場合、エネルギー管理サーバ３は、浪費メッセージを、例えば、ランダムに取得して、利用者のＰＣに表示させる（Ｄ６）。
【０２３６】
一方、Ｄ５の判定で、現在処理中の利用者宛に、浪費メッセージがない場合、エネルギー管理サーバ３は、メッセージデータベース３１Ａから豆知識メッセージを取得する（Ｄ７）。豆知識メッセージは、省エネルギーに関する一般的な知識を表現するメッセージ、あるいは利用者にさらなる省エネルギーを促すメッセージである。メッセージデータベース３１Ａに複数の豆知識メッセージがある場合、エネルギー管理サーバ３は、豆知識メッセージをランダムに取得すればよい。そして、エネルギー管理サーバ３は、取得した豆知識メッセージを利用者のＰＣに表示させる（Ｄ８）。Ｄ７で豆知識メッセージをランダムに取得する結果、メッセージデータベース３１Ａに豆知識メッセージが複数ある場合のＤ８での表示は、ランダムとなる。
【０２３７】
次に、エネルギー管理サーバ３は、週次処理を実行する。すなわち、エネルギー管理サーバ３は、週の最初の起動か否かを判定する（Ｄ９）。例えば、エネルギー管理サーバ３は、画面表示の起動ログに、週次処理が実行された日付を保存しておけばよい。そして、エネルギー管理サーバ３は、起動ログから最新の週次処理が実行された日付を取得し、週の最初の起動か否かを判定すればよい。
【０２３８】
そして、現在の処理が週の最初の起動時の処理である場合、エネルギー管理サーバ３は、浪費改善情報データベース３１６から先週改善メッセージを登録した個数を算出する（Ｄ１０）。先週改善メッセージを登録した個数は、例えば、図１４に示したように、浪費改善情報データベース３１６の登録日時で判定すればよい。そして、エネルギー管理サーバ３は、利用者のＰＣ等に、「先週○件省エネ活動ができました」というメッセージを利
用者のＰＣに表示させる（Ｄ１１）。ここで、「○」は、メッセージ中に変数で指定可能な可変の文字または文字列である。
【０２３９】
次に、エネルギー管理サーバ３は、月次処理を実行する。すなわち、エネルギー管理サーバ３は、月の最初の起動か否かを判定する（Ｄ１２）。例えば、エネルギー管理サーバ３は、画面表示の起動ログに、月次処理が実行された日付を保存しておけばよい。そして、エネルギー管理サーバ３は、起動ログから最新の月次処理が実行された日付を取得し、月の最初の起動か否かを判定すればよい。
【０２４０】
そして、現在の処理が月の最初の起動時の処理である場合、エネルギー管理サーバ３は、浪費改善情報データベース３１６から先週改善メッセージを登録した個数を算出する（Ｄ１３）。そして、エネルギー管理サーバ３は、利用者のＰＣ等に、「先月○件省エネ活動ができました」というメッセージを利用者のＰＣに表示させる（Ｄ１４）。ここで、「○」は、メッセージ中に変数で指定可能な可変の文字または文字列である。
【０２４１】
以上述べたように、コンセントから計測された電力値と、コンセントの利用者のスケジュールとの関係、コンセントから計測された電力値と計測された時間帯、勤務日の勤務状況等との関係から、エネルギー管理サーバ３は、電力の浪費の有無を判定する。そして、電力の浪費が判定されたコンセントの利用者のＰＣ宛に浪費メッセージを設定し、表示させることで、改善を促すことができる。
【０２４２】
また、エネルギー管理サーバ３は、一旦浪費メッセージを表示した利用者について、電力浪費の改善があったか否かを判定する。例えば、電力の浪費が認められなかったコンセントの利用者が浪費メッセージの表示を受けているか否かを判定する。そして、浪費メッセージの表示を受けている利用者のコンセントで、電力の浪費が認められなかった場合に、エネルギー管理サーバ３は、電力浪費の改善があったと判定する。そして、改善のあった利用者宛に改善があったことを示す改善メッセージを設定する。このような改善メッセージにより、利用者の省電力へのさらなる動機付けを図ることができる。
【０２４３】
さらに、エネルギー管理サーバ３は、電力浪費のない利用者には、省電力に関する一般的な知識として、豆知識メッセージを設定する。豆知識メッセージにより、現在、特に電力浪費のない利用者に対して、さらに、省エネルギーを促進することができる。
【０２４４】
以上の処理において、エネルギー管理サーバ３は、利用者宛に浪費メッセージ、改善メッセージを浪費改善情報データベース３１６に設定し、図３８に示した画面表示処理によって、設定された浪費メッセージ、改善メッセージが、利用者のＰＣ等の画面に表示されることなる。すでに述べたように、本使用電力管理システムの処理において、画面表示処理の手順、方式には、限定はない。
【実施例２】
【０２４５】
図３９を参照して、実施例２に係る使用電力管理システムを説明する。上記実施例１では、利用者に割り当てられた電源接続機器１のそれぞれのコンセントに接続された機器に供給される電力の計測値をエネルギー管理サーバ３が収集し、管理した。しかし、使用電力管理システムの構成が実施例１の構成に限定される訳ではない。例えば、エネルギー管理サーバ３で実行される処理を利用者のＰＣ等、個々の利用者に割り当てられる情報処理装置で実行するようにしてもよい。
【０２４６】
図３９に、実施例２に係る使用電力管理システムの構成を例示する。図３９では、電源接続機器１は、コンセントＣ１、Ｃ２、Ｃ３、およびＣ４に接続されるＡＣケーブルを介して、ＡＣ電源からの電力を情報処理装置３Ａ、機器Ａ、機器Ｂ、および機器Ｃに供給す
る。なお、電源接続機器１のコンセントの数が４口に限定される訳ではない。
【０２４７】
さらに、情報処理装置３Ａには、電源接続機器１のＵＳＢアダプタＵＡ１等の通信インターフェース等を通じて、コンセントＣ１、Ｃ２、Ｃ３、およびＣ４で計測された電流値（電力値）が通知される。ただし、情報処理装置３Ａに、通信インターフェースを通じて接続される電源接続機器１の数は、１個に限定される訳ではない。また、通信インターフェースがＵＳＢに限定される訳ではない。
【０２４８】
図３９のような構成によって、実施例１のエネルギー管理サーバ３の機能を利用者ごとの情報処理装置３Ａにおいて提供することができる。例えば、情報処理装置３Ａに、実施例１で説明した電力管理処理と同様の処理を実行するコンピュータプログラムをインストールすればよい。
【０２４９】
実施例１の構成では、エネルギー管理サーバ３は、例えば、オフィス全体の使用電力を管理した。一方、実施例２の構成では、情報処理装置３Ａは、情報処理装置３Ａが電源供給を受ける電源接続機器１の使用電力を管理すればよい。すなわち、情報処理装置３Ａは、情報処理装置３Ａが電源供給を受ける電源接続機器１の各コンセントの使用電力を収集し、実施例１と同様に、電力の浪費、あるいは浪費の改善を判定し、該当するメッセージを情報処理装置３Ａの表示装置の画面に表示すればよい。なお、実施例２の構成において、情報処理装置３Ａが管理する電源接続機器１は、情報処理装置３Ａが電源供給を受ける電源接続機器１の他、情報処理装置３Ａの周囲の所定数の電源接続機器１の電力を管理し、該当するメッセージを表示するようにしてもよい。
【０２５０】
実施例２の構成では、エネルギー管理サーバ３がオフィス全体で一括管理するのではなく、個々の情報処理装置３Ａが情報処理装置３Ａの周囲の電源接続機器１の電力を管理する。このため、個々の利用者の使用電力を分散管理することが可能となる。なお、個々の情報処理装置３Ａが管理する使用電力、浪費メッセージの表示の状況、表示回数、改善メッセージの表示の状況、回数等を電力管理サーバ３等に報告し、管理状況を集約するようにしてもよい。
【０２５１】
実施例１、実施例２では、浪費メッセージや改善メッセージ、豆知識等を表示装置に表示することとして説明したが、表示装置の代わりに音声合成装置等を用いてメッセージを読み上げる等しても良い。
【０２５２】
《コンピュータが読み取り可能な記録媒体》
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【０２５３】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、コンピュータ等に固定された記録媒体としてハードディスクやＲＯＭ（リードオンリーメモリ）等がある。
【０２５４】
《その他》
以上の実施形態は、さらに以下の付記と呼ぶ態様を含む。以下の各付記に含まれる構成
要素は、他の付記に含まれる構成と組み合わせることができる。
【０２５５】
（付記１）
複数のプラグ接続部、
前記複数のプラグ接続部のそれぞれに供給される電流または電力を検出する複数のセンサ、および、
前記複数のセンサが検出した検出値を前記複数のプラグ接続部に対応付けて出力するデータ出力部、を有する電源接続機器と、
前記複数の電源接続機器のそれぞれのプラグ接続部に対応付けた検出値を取得する通信部、
前記複数の電源接続機器のそれぞれの利用者を識別する利用者識別情報と前記複数の電源接続機器のそれぞれとを対応付けて記憶する利用者記憶部、および
前記検出値に基づく電力値が所定の許容範囲を超過したことが確認された場合に、前記利用者識別情報を基に、前記所定の許容範囲を超過したことが確認された電力値に対応する前記検出値が検出されたプラグ接続部を含む電源接続機器の利用者宛に使用電力の改善を促すメッセージを設定する評価部を有する情報処理装置と、を備える使用電力管理システム。
【０２５６】
（付記２）
前記評価部は、前記メッセージの設定後に、前記所定の許容範囲を超過したことが確認された電力値に対応する前記検出値が検出されたプラグ接続部から新たに取得した電力値が前記所定の許容範囲内に低減した場合に、前記電力値が低減したプラグ接続部を含む電源接続機器の利用者宛に使用電力の改善が達成された旨のメッセージを設定する付記１に記載の使用電力管理システム。
【０２５７】
（付記３）
前記情報処理装置は、前記電力値の度数分布における、電力０に最も近い度数のピークを含む第１分布集合を基に、前記それぞれのプラグ接続部に接続された機器が電源オフ状態にあるときに供給される第１待機電力を算出する第１算出部をさらに有する付記１または２に記載の使用電力管理システム。
【０２５８】
（付記４）
前記情報処理装置は、前記電力値の度数分布における、前記第１分布集合の次に電力値が大きい第２分布集合を基に、前記それぞれのプラグ接続部に接続された機器が省電力モードにあるときに供給される第２待機電力を算出する第２算出部をさらに有する付記１から３のいずれか１項に記載の使用電力管理システム。
【０２５９】
（付記５）
前記情報処理装置は、前記プラグ接続部に接続された機器の省電力モードにおける電力の基準値を基に、前記算出した第２待機電力の適正を判定する第２待機電力判定部をさらに有する付記４に記載の使用電力管理システム。
【０２６０】
（付記６）
複数の電源接続機器のそれぞれのプラグ接続部に対応付けた検出値を取得する通信部と、
前記複数の電源接続機器のそれぞれの利用者を識別する利用者識別情報と前記複数の電源接続機器のそれぞれとを対応付けて記憶する利用者記憶部と、
前記検出値に基づく電力値が所定の許容範囲を超過したことが確認された場合に、前記利用者識別情報を基に、前記所定の許容範囲を超過したことが確認された電力値に対応する前記検出値が検出されたプラグ接続部を含む電源接続機器の利用者宛に使用電力の改善
を促すメッセージを設定する評価部と、を有する情報処理装置。
【０２６１】
（付記７）
前記評価部は、前記メッセージの設定後に、前記所定の許容範囲を超過したことが確認された電力値に対応する前記検出値が検出されたプラグ接続部から新たに取得した電力値が前記所定の許容範囲内に低減した場合に、前記電力値が低減したプラグ接続部を含む電源接続機器の利用者宛に使用電力の改善が達成された旨のメッセージを設定する付記６に記載の情報処理装置。
【０２６２】
（付記８）
前記電力値の度数分布における、電力０に最も近い度数のピークを含む第１分布集合を基に、前記それぞれのプラグ接続部に接続された機器が電源オフ状態にあるときに供給される第１待機電力を算出する第１算出部をさらに有する付記６または７に記載の情報処理装置。
【０２６３】
（付記９）
前記電力値の度数分布における、前記第１分布集合の次に電力値が大きい第２分布集合を基に、前記それぞれのプラグ接続部に接続された機器が省電力モードにあるときに供給される第２待機電力を算出する第２算出部をさらに有する付記６から８のいずれか１項に記載の情報処理装置。
【０２６４】
（付記１０）
前記プラグ接続部に接続された機器の省電力モードにおける電力の基準値を基に、前記算出した第２待機電力の適正を判定する第２待機電力判定部をさらに有する付記９に記載の情報処理装置。
【０２６５】
（付記１１）
コンピュータが、複数の電源接続機器のそれぞれのプラグ接続部に対応付けた検出値を取得するステップと、
前記検出値に基づく電力値が所定の許容範囲を超過したことが確認された場合に、前記所定の許容範囲を超過したことが確認された電力値に対応する前記検出値が検出されたプラグ接続部を含む電源接続機器の利用者宛に使用電力の改善を促すメッセージを設定する評価ステップと、を実行する情報処理方法。
【０２６６】
（付記１２）
前記評価ステップでは、前記コンピュータは、前記メッセージの設定後に、前記所定の許容範囲を超過したことが確認された電力値に対応する前記検出値が検出されたプラグ接続部から新たに取得した電力値が前記所定の許容範囲内に低減した場合に、前記電力値が低減したプラグ接続部を含む電源接続機器の利用者宛に使用電力の改善が達成された旨のメッセージを設定する付記１１に記載の情報処理方法。
【０２６７】
（付記１３）
前記電力値の度数分布における、電力０に最も近い度数のピークを含む第１分布集合を基に、前記それぞれのプラグ接続部に接続された機器が電源オフ状態にあるときに供給される第１待機電力を算出する第１算出ステップをさらに実行する付記１１または１２に記載の情報処理方法。
【０２６８】
（付記１４）
前記電力値の度数分布における、前記第１分布集合の次に電力値が大きい第２分布集合を基に、前記それぞれのプラグ接続部に接続された機器が省電力モードにあるときに供給
される第２待機電力を算出する第２算出ステップをさらに実行する付記１１から１３のいずれか１項に記載の情報処理方法。
【０２６９】
（付記１５）
前記プラグ接続部に接続された機器の省電力モードにおける電力の基準値を基に、前記算出した第２待機電力の適正を判定する第２待機電力判定ステップをさらに実行する付記１４に記載の情報処理方法。
【０２７０】
（付記１６）
コンピュータに、複数の電源接続機器のそれぞれのプラグ接続部に対応付けた検出値を取得するステップと、
前記検出値に基づく電力値が所定の許容範囲を超過したことが確認された場合に、前記所定の許容範囲を超過したことが確認された電力値に対応する前記検出値が検出されたプラグ接続部を含む電源接続機器の利用者宛に使用電力の改善を促すメッセージを設定する評価ステップと、を実行させるプログラム。
【０２７１】
（付記１７）
前記評価ステップでは、前記コンピュータに、前記メッセージの設定後に、前記所定の許容範囲を超過したことが確認された電力値に対応する前記検出値が検出されたプラグ接続部から新たに取得した電力値が前記所定の許容範囲内に低減した場合に、前記電力値が低減したプラグ接続部を含む電源接続機器の利用者宛に使用電力の改善が達成された旨のメッセージを設定させる付記１６に記載のプログラム。
【０２７２】
（付記１８）
前記電力値の度数分布における、電力０に最も近い度数のピークを含む第１分布集合を基に、前記それぞれのプラグ接続部に接続された機器が電源オフ状態にあるときに供給される第１待機電力を算出する第１算出ステップをさらに実行させる付記１６または１７に記載のプログラム。
【０２７３】
（付記１９）
前記電力値の度数分布における、前記第１分布集合の次に電力値が大きい第２分布集合を基に、前記それぞれのプラグ接続部に接続された機器が省電力モードにあるときに供給される第２待機電力を算出する第２算出ステップをさらに実行させる付記１６から１８のいずれか１項に記載のプログラム。
【０２７４】
（付記２０）
前記プラグ接続部に接続された機器の省電力モードにおける電力の基準値を基に、前記算出した第２待機電力の適正を判定する第２待機電力判定ステップをさらに実行させる付記１９に記載のプログラム。
【符号の説明】
【０２７５】
１  電源接続機器
２  中継器
３  エネルギー管理サーバ
３Ａ  情報処理装置
３０１  電源接続機器設定部
３０２  電力計測部
３０３  接続機器判定部
３０６  浪費判定部
３０７  改善判定部
３０８  画面表示部
３１１  電源接続機器データベース
３１２  電力値データベース
３１３  接続機器データベース
３１６  浪費改善情報データベース
３１８  スケジュールデータベース
３１９  休日カレンダーマスタデータベース
３１Ａ  メッセージマスタデータベース
【図１】
0005639919.tif 000002
【図２】
0005639919.tif 000003
【図３】
0005639919.tif 000004
【図４】
0005639919.tif 000005
【図５】
0005639919.tif 000006
【図６】
0005639919.tif 000007
【図７】
0005639919.tif 000008
【図８】
0005639919.tif 000009
【図９】
0005639919.tif 000010
【図１０】
0005639919.tif 000011
【図１１】
0005639919.tif 000012
【図１２】
0005639919.tif 000013
【図１３】
0005639919.tif 000014
【図１４】
0005639919.tif 000015
【図１５】
0005639919.tif 000016
【図１６】
0005639919.tif 000017
【図１７】
0005639919.tif 000018
【図１８】
0005639919.tif 000019
【図１９】
0005639919.tif 000020
【図２０】
0005639919.tif 000021
【図２１】
0005639919.tif 000022
【図２２】
0005639919.tif 000023
【図２３】
0005639919.tif 000024
【図２４】
0005639919.tif 000025
【図２５】
0005639919.tif 000026
【図２６】
0005639919.tif 000027
【図２７】
0005639919.tif 000028
【図２８】
0005639919.tif 000029
【図２９】
0005639919.tif 000030
【図３０】
0005639919.tif 000031
【図３１】
0005639919.tif 000032
【図３２】
0005639919.tif 000033
【図３３】
0005639919.tif 000034
【図３４】
0005639919.tif 000035
【図３５】
0005639919.tif 000036
【図３６】
0005639919.tif 000037
【図３７】
0005639919.tif 000038
【図３８】
0005639919.tif 000039
【図３９】
0005639919.tif 000040